(57)【要約】  冷却アセンブリは、ハブ端部と、半径方向長さに沿ってチップ本体およびチップレールを含むチップ端部と、の間に延在する翼形部の内側の冷却剤を導く、翼形部の内側の冷却剤ソースチャンバを含む。第１の本体冷却チャンバおよび第２の本体冷却チャンバは、チップ本体の内側に配置される。第２の本体冷却チャンバは、チップ端部と第１の本体冷却チャンバとの間に配置される。第１または第２の本体冷却チャンバの少なくとも一方は、冷却剤ソースチャンバと流体結合される。冷却剤ソースチャンバは、冷却剤を第１または第２の本体冷却チャンバに導く。チップレールの内側に配置されたレール冷却チャンバは、第１または第２の本体冷却チャンバと流体結合される。第１または第２の本体冷却チャンバは、冷却剤を本体冷却チャンバからレール冷却チャンバに導く。【選択図】図３
2021520463.tif 000002
【特許請求の範囲】
【請求項１】
タービンアセンブリ（１０）の翼形部（１０２）の内側に配置された冷却剤ソースチャンバ（３０２、７０２、８０２、９０２、１００２、１１０２、１２０２）であって、前記タービンアセンブリ（１０）の前記翼形部（１０２）の内側に冷却剤（６３０）を導くように構成され、前記翼形部（１０２）は、前記翼形部（１０２）の半径方向長さ（１２４）に沿って前記翼形部（１０２）のハブ端部（１３０）と前記翼形部（１０２）のチップ端部（１２８）との間に延在するように構成され、前記翼形部（１０２）の前記チップ端部（１２８）は、チップ本体（１４４）およびチップレール（１４２）を含む、冷却剤ソースチャンバ（３０２、７０２、８０２、９０２、１００２、１１０２、１２０２）と、
前記翼形部（１０２）の前記チップ本体（１４４）の内側に配置された第１の本体冷却チャンバ（３０４Ａ、７０４Ａ、９０４Ａ）および第２の本体冷却チャンバ（３０４Ｂ、７０４Ｂ、９０４Ｂ）であって、前記第２の本体冷却チャンバ（３０４Ｂ、７０４Ｂ、９０４Ｂ）の少なくとも一部は、前記翼形部（１０２）の前記半径方向長さ（１２４）に沿って前記チップ端部（１２８）と前記第１の本体冷却チャンバ（３０４Ａ、７０４Ａ、９０４Ａ）との間に配置され、前記第１または第２の本体冷却チャンバ（３０４Ａ、７０４Ａ、９０４Ａ、３０４Ｂ、７０４Ｂ、９０４Ｂ）の少なくとも一方は、前記冷却剤ソースチャンバ（３０２、７０２、８０２、９０２、１００２、１１０２、１２０２）と流体結合され、前記冷却剤ソースチャンバ（３０２、７０２、８０２、９０２、１００２、１１０２、１２０２）は、前記冷却剤（６３０）の少なくとも一部を前記第１または第２の本体冷却チャンバ（３０４Ａ、７０４Ａ、９０４Ａ、３０４Ｂ、７０４Ｂ、９０４Ｂ）の１つまたは複数に導くように構成される、第１の本体冷却チャンバ（３０４Ａ、７０４Ａ、９０４Ａ）および第２の本体冷却チャンバ（３０４Ｂ、７０４Ｂ、９０４Ｂ）と、
前記翼形部（１０２）の前記チップレール（１４２）の内側に配置されたレール冷却チャンバ（３０６、７０６、８０６、９０６、１００６、１１０６、１２０６）であって、前記第１または第２の本体冷却チャンバ（３０４Ａ、７０４Ａ、９０４Ａ、３０４Ｂ、７０４Ｂ、９０４Ｂ）の少なくとも１つと流体結合され、前記第１または第２の本体冷却チャンバ（３０４Ａ、７０４Ａ、９０４Ａ、３０４Ｂ、７０４Ｂ、９０４Ｂ）の前記少なくとも一方は、前記冷却剤（６３０）の少なくとも一部を前記少なくとも一方の前記第１または第２の本体冷却チャンバ（３０４Ａ、７０４Ａ、９０４Ａ、３０４Ｂ、７０４Ｂ、９０４Ｂ）から前記レール冷却チャンバ（３０６、７０６、８０６、９０６、１００６、１１０６、１２０６）に導くように構成される、レール冷却チャンバ（３０６、７０６、８０６、９０６、１００６、１１０６、１２０６）と、
を含む冷却アセンブリ（１０３、７０３、８０３、９０３、１００３、１１０３、１２０３）。
【請求項２】
前記レール冷却チャンバ（３０６、７０６、８０６、９０６、１００６、１１０６、１２０６）の１つもしくは複数または前記第１もしくは第２の本体冷却チャンバ（３０４Ａ、７０４Ａ、９０４Ａ、３０４Ｂ、７０４Ｂ、９０４Ｂ）の１つもしくは複数と流体結合された１つまたは複数の排出チャネルをさらに含み、前記１つまたは複数の排出チャネルは、前記冷却剤（６３０）を前記翼形部（１０２）の外に導くように構成される、請求項１に記載の冷却アセンブリ（１０３、７０３、８０３、９０３、１００３、１１０３、１２０３）。
【請求項３】
前記翼形部（１０２）の正圧側内面（５１４、９３４）および前記翼形部（１０２）の負圧側内面（５１６、９３６）をさらに含み、前記第１の本体冷却チャンバ（３０４Ａ、７０４Ａ、９０４Ａ）および前記第２の本体冷却チャンバ（３０４Ｂ、７０４Ｂ、９０４Ｂ）は、前記翼形部（１０２）の前記正圧側内面（５１４、９３４）と前記翼形部（１０２）の前記負圧側内面（５１６、９３６）との間で少なくとも部分的に延在するように構成される、請求項１に記載の冷却アセンブリ（１０３、７０３、８０３、９０３、１００３、１１０３、１２０３）。
【請求項４】
前記第１の本体冷却チャンバ（３０４Ａ、７０４Ａ、９０４Ａ）は、第１の軸線（６２４Ａ、７２４Ａ、９２４Ａ）の少なくとも一部に沿って延在してそれを包含し、前記第２の本体冷却チャンバ（３０４Ｂ、７０４Ｂ、９０４Ｂ）は、異なる第２の軸線（６２４Ｂ、７２４Ｂ、９２４Ｂ）の少なくとも一部に沿って延在してそれを包含し、前記第１の軸線（６２４Ａ、７２４Ａ、９２４Ａ）の少なくとも一部および前記第２の軸線（６２４Ｂ、７２４Ｂ、９２４Ｂ）の少なくとも一部は、互いに実質的に平行であるかまたは斜めであるかの少なくとも一方である、請求項１に記載の冷却アセンブリ（１０３、７０３、８０３、９０３、１００３、１１０３、１２０３）。
【請求項５】
前記第１の本体冷却チャンバ（３０４Ａ、７０４Ａ、９０４Ａ）は前記第１の軸線（６２４Ａ、７２４Ａ、９２４Ａ）の少なくとも一部に沿って延在し、前記第２の本体冷却チャンバ（３０４Ｂ、７０４Ｂ、９０４Ｂ）は前記第２の軸線（６２４Ｂ、７２４Ｂ、９２４Ｂ）の少なくとも一部に沿って延在し、前記第１の軸線（６２４Ａ、７２４Ａ、９２４Ａ）は、前記翼形部（１０２）の半径方向長さ（１２４）に実質的に垂直な方向に延在するように構成され、前記第２の軸線（６２４Ｂ、７２４Ｂ、９２４Ｂ）は、前記翼形部（１０２）の半径方向長さ（１２４）に実質的に垂直な方向に延在するように構成される、請求項４に記載の冷却アセンブリ（１０３、７０３、８０３、９０３、１００３、１１０３、１２０３）。
【請求項６】
前記第１または第２の本体冷却チャンバ（３０４Ａ、７０４Ａ、９０４Ａ、３０４Ｂ、７０４Ｂ、９０４Ｂ）の少なくとも一方の内側に配置された複数のピン（１１１８）または複数のタービュレータのうちの１つまたは複数をさらに含み、前記複数のピン（１１１８）または複数のタービュレータのうちの前記１つまたは複数は、前記第１または第２の本体冷却チャンバ（３０４Ａ、７０４Ａ、９０４Ａ、３０４Ｂ、７０４Ｂ、９０４Ｂ）の前記少なくとも一方の内側の前記複数のピン（１１１８）または前記複数のタービュレータの周りに前記冷却剤（６３０）を導くように構成される、請求項１に記載の冷却アセンブリ（１０３、７０３、８０３、９０３、１００３、１１０３、１２０３）。
【請求項７】
前記第１または第２の本体冷却チャンバ（３０４Ａ、７０４Ａ、９０４Ａ、３０４Ｂ、７０４Ｂ、９０４Ｂ）の少なくとも一方の内側に配置された複数の壁（１２１８）をさらに含み、前記複数の壁（１２１８）は、前記第１または第２の本体冷却チャンバ（３０４Ａ、７０４Ａ、９０４Ａ、３０４Ｂ、７０４Ｂ、９０４Ｂ）の前記少なくとも一方の内側の前記複数の壁（１２１８）の周りに前記冷却剤（６３０）を導くように構成される、請求項１に記載の冷却アセンブリ（１０３、７０３、８０３、９０３、１００３、１１０３、１２０３）。
【請求項８】
前記翼形部（１０２）の前記チップレール（１４２）の内側に配置された２つ以上のレール冷却チャンバ（３０６、７０６、８０６、９０６、１００６、１１０６、１２０６）をさらに含み、前記２つ以上のレール冷却チャンバ（３０６、７０６、８０６、９０６、１００６、１１０６、１２０６）のうちの少なくとも１つのレール冷却チャンバ（３０６、７０６、８０６、９０６、１００６、１１０６、１２０６）は、少なくとも１つの他のレール冷却チャンバ（３０６、７０６、８０６、９０６、１００６、１１０６、１２０６）と流体結合される、請求項１に記載の冷却アセンブリ（１０３、７０３、８０３、９０３、１００３、１１０３、１２０３）。
【請求項９】
前記翼形部（１０２）の前記チップ本体（１４４）の内側に配置された３つ以上の本体冷却チャンバ（３０４、７０４、８０４）をさらに含み、前記３つ以上の本体冷却チャンバ（３０４、７０４、８０４）のうちの少なくとも１つは、少なくとも１つの他の本体冷却チャンバ（３０４、７０４、８０４）と流体結合される、請求項１に記載の冷却アセンブリ（１０３、７０３、８０３、９０３、１００３、１１０３、１２０３）。
【請求項１０】
前記翼形部（１０２）の前記チップ本体（１４４）の内側に配置されたインピンジメントバッフルまたは蛇行回路（１００４，１１０４、１２０４）のうちの１つまたは複数をさらに含み、前記第１の本体冷却チャンバ（３０４Ａ、７０４Ａ、９０４Ａ）は、前記インピンジメントバッフルまたは前記蛇行回路（１００４，１１０４、１２０４）のうちの前記１つまたは複数によって前記第２の本体冷却チャンバ（３０４Ｂ、７０４Ｂ、９０４Ｂ）と流体結合される、請求項１に記載の冷却アセンブリ（１０３、７０３、８０３、９０３、１００３、１１０３、１２０３）。
【請求項１１】
タービンアセンブリ（１０）の翼形部（１０２）の内側に配置された冷却剤ソースチャンバ（３０２、７０２、８０２、９０２、１００２、１１０２、１２０２）であって、前記タービンアセンブリ（１０）の前記翼形部（１０２）の内側に冷却剤（６３０）を導くように構成され、前記翼形部（１０２）は、前記翼形部（１０２）の半径方向長さ（１２４）に沿って前記翼形部（１０２）のハブ端部（１３０）と前記翼形部（１０２）のチップ端部（１２８）との間に延在するように構成され、前記翼形部（１０２）の前記チップ端部（１２８）は、チップ本体（１４４）およびチップレール（１４２）を含む、冷却剤ソースチャンバ（３０２、７０２、８０２、９０２、１００２、１１０２、１２０２）と、
前記翼形部（１０２）の前記チップ本体（１４４）の内側に配置された第１の本体冷却チャンバ（３０４Ａ、７０４Ａ、９０４Ａ）および第２の本体冷却チャンバ（３０４Ｂ、７０４Ｂ、９０４Ｂ）であって、前記第２の本体冷却チャンバ（３０４Ｂ、７０４Ｂ、９０４Ｂ）の少なくとも一部は、前記翼形部（１０２）の前記半径方向長さ（１２４）に沿って前記チップ端部（１２８）と前記第１の本体冷却チャンバ（３０４Ａ、７０４Ａ、９０４Ａ）との間に配置され、前記第１または第２の本体冷却チャンバ（３０４Ａ、７０４Ａ、９０４Ａ、３０４Ｂ、７０４Ｂ、９０４Ｂ）の少なくとも一方は、前記冷却剤ソースチャンバ（３０２、７０２、８０２、９０２、１００２、１１０２、１２０２）と流体結合され、前記冷却剤ソースチャンバ（３０２、７０２、８０２、９０２、１００２、１１０２、１２０２）は、前記冷却剤（６３０）の少なくとも一部を前記第１または第２の本体冷却チャンバ（３０４Ａ、７０４Ａ、９０４Ａ、３０４Ｂ、７０４Ｂ、９０４Ｂ）の前記少なくとも一方に導くように構成される、第１の本体冷却チャンバ（３０４Ａ、７０４Ａ、９０４Ａ）および第２の本体冷却チャンバ（３０４Ｂ、７０４Ｂ、９０４Ｂ）と、
前記翼形部（１０２）の前記チップレール（１４２）の内側に配置されたレール冷却チャンバ（３０６、７０６、８０６、９０６、１００６、１１０６、１２０６）であって、前記第１または第２の本体冷却チャンバ（３０４Ａ、７０４Ａ、９０４Ａ、３０４Ｂ、７０４Ｂ、９０４Ｂ）の少なくとも１つと流体結合され、前記第１または第２の本体冷却チャンバ（３０４Ａ、７０４Ａ、９０４Ａ、３０４Ｂ、７０４Ｂ、９０４Ｂ）の前記少なくとも一方は、前記冷却剤（６３０）の少なくとも一部を前記第１または第２の本体冷却チャンバ（３０４Ａ、７０４Ａ、９０４Ａ、３０４Ｂ、７０４Ｂ、９０４Ｂ）から前記レール冷却チャンバ（３０６、７０６、８０６、９０６、１００６、１１０６、１２０６）に導くように構成される、レール冷却チャンバ（３０６、７０６、８０６、９０６、１００６、１１０６、１２０６）と、
前記レール冷却チャンバ（３０６、７０６、８０６、９０６、１００６、１１０６、１２０６）のうちの１つもしくは複数または前記第１もしくは第２の本体冷却チャンバ（３０４Ａ、７０４Ａ、９０４Ａ、３０４Ｂ、７０４Ｂ、９０４Ｂ）のうちの１つもしくは複数と流体結合された１つまたは複数の排出チャネルであって、前記１つまたは複数の排出チャネルは、前記冷却剤（６３０）の少なくとも一部を前記翼形部（１０２）の外に導くように構成される、１つまたは複数の排出チャネルと、
を含む冷却アセンブリ（１０３、７０３、８０３、９０３、１００３、１１０３、１２０３）。
【請求項１２】
前記翼形部（１０２）の正圧側内面（５１４、９３４）および前記翼形部（１０２）の負圧側内面（５１６、９３６）をさらに含み、前記第１および前記第２の本体冷却チャンバ（３０４Ａ、７０４Ａ、９０４Ａ、３０４Ｂ、７０４Ｂ、９０４Ｂ）は、前記翼形部（１０２）の前記正圧側内面（５１４、９３４）と前記翼形部（１０２）の前記負圧側内面（５１６、９３６）との間で少なくとも部分的に延在するように構成される、請求項１１に記載の冷却アセンブリ（１０３、７０３、８０３、９０３、１００３、１１０３、１２０３）。
【請求項１３】
前記第１の本体冷却チャンバ（３０４Ａ、７０４Ａ、９０４Ａ）は、第１の軸線（６２４Ａ、７２４Ａ、９２４Ａ）の少なくとも一部に沿って延在してそれを包含し、前記第２の本体冷却チャンバ（３０４Ｂ、７０４Ｂ、９０４Ｂ）は、異なる第２の軸線（６２４Ｂ、７２４Ｂ、９２４Ｂ）の少なくとも一部に沿って延在してそれを包含し、前記第１の軸線（６２４Ａ、７２４Ａ、９２４Ａ）の少なくとも一部および前記第２の軸線（６２４Ｂ、７２４Ｂ、９２４Ｂ）の少なくとも一部は、互いに実質的に平行であるかまたは斜めであるかの少なくとも一方である、請求項１１に記載の冷却アセンブリ（１０３、７０３、８０３、９０３、１００３、１１０３、１２０３）。
【請求項１４】
前記第１の本体冷却チャンバ（３０４Ａ、７０４Ａ、９０４Ａ）は前記第１の軸線（６２４Ａ、７２４Ａ、９２４Ａ）の少なくとも一部に沿って延在し、前記第２の本体冷却チャンバ（３０４Ｂ、７０４Ｂ、９０４Ｂ）は前記第２の軸線（６２４Ｂ、７２４Ｂ、９２４Ｂ）の少なくとも一部に沿って延在し、前記第１の軸線（６２４Ａ、７２４Ａ、９２４Ａ）は、前記翼形部（１０２）の半径方向長さ（１２４）に実質的に垂直な方向に延在するように構成され、前記第２の軸線（６２４Ｂ、７２４Ｂ、９２４Ｂ）は、前記翼形部（１０２）の半径方向長さ（１２４）に実質的に垂直な方向に延在するように構成される、請求項１３に記載の冷却アセンブリ（１０３、７０３、８０３、９０３、１００３、１１０３、１２０３）。
【請求項１５】
前記第１または第２の本体冷却チャンバ（３０４Ａ、７０４Ａ、９０４Ａ、３０４Ｂ、７０４Ｂ、９０４Ｂ）の少なくとも一方の内側に配置された複数のピン（１１１８）または複数のタービュレータのうちの１つまたは複数をさらに含み、前記複数のピン（１１１８）または複数のタービュレータのうちの前記１つまたは複数は、前記第１または第２の本体冷却チャンバ（３０４Ａ、７０４Ａ、９０４Ａ、３０４Ｂ、７０４Ｂ、９０４Ｂ）の前記少なくとも一方の内側の前記複数のピン（１１１８）または前記複数のタービュレータの周りに前記冷却剤（６３０）を導くように構成される、請求項１１に記載の冷却アセンブリ（１０３、７０３、８０３、９０３、１００３、１１０３、１２０３）。
【請求項１６】
前記第１または第２の本体冷却チャンバ（３０４Ａ、７０４Ａ、９０４Ａ、３０４Ｂ、７０４Ｂ、９０４Ｂ）の少なくとも一方の内側に配置された複数の壁（１２１８）をさらに含み、前記複数の壁（１２１８）は、前記第１または第２の本体冷却チャンバ（３０４Ａ、７０４Ａ、９０４Ａ、３０４Ｂ、７０４Ｂ、９０４Ｂ）の前記少なくとも一方の内側の前記複数の壁（１２１８）の周りに前記冷却剤（６３０）を導くように構成される、請求項１１に記載の冷却アセンブリ（１０３、７０３、８０３、９０３、１００３、１１０３、１２０３）。
【請求項１７】
前記翼形部（１０２）の前記チップレール（１４２）の内側に配置された２つ以上のレール冷却チャンバ（３０６、７０６、８０６、９０６、１００６、１１０６、１２０６）をさらに含み、前記２つ以上のレール冷却チャンバ（３０６、７０６、８０６、９０６、１００６、１１０６、１２０６）の第１のレール冷却チャンバ（８０６Ａ）は、少なくとも１つの他のレール冷却チャンバ（３０６、７０６、８０６、９０６、１００６、１１０６、１２０６）と流体結合される、請求項１１に記載の冷却アセンブリ（１０３、７０３、８０３、９０３、１００３、１１０３、１２０３）。
【請求項１８】
前記翼形部（１０２）の前記チップ本体（１４４）の内側に配置された３つ以上の本体冷却チャンバ（３０４，７０４，８０４）をさらに含み、前記３つ以上の本体冷却チャンバ（３０４，７０４，８０４）のうちの少なくとも１つは、少なくとも１つの他の本体冷却チャンバ（３０４，７０４，８０４）と流体結合される、請求項１１に記載の冷却アセンブリ（１０３、７０３、８０３、９０３、１００３、１１０３、１２０３）。
【請求項１９】
前記翼形部（１０２）の前記チップ本体（１４４）の内側に配置されたインピンジメントバッフルまたは蛇行回路（１００４，１１０４、１２０４）のうちの１つまたは複数をさらに含み、前記第１の本体冷却チャンバ（３０４Ａ、７０４Ａ、９０４Ａ）は、前記インピンジメントバッフルまたは前記蛇行回路（１００４，１１０４、１２０４）のうちの前記１つまたは複数によって前記第２の本体冷却チャンバ（３０４Ｂ、７０４Ｂ、９０４Ｂ）と流体結合される、請求項１１に記載の冷却アセンブリ（１０３、７０３、８０３、９０３、１００３、１１０３、１２０３）。
【請求項２０】
第１の本体冷却チャンバ（３０４Ａ、７０４Ａ、９０４Ａ）または第２の本体冷却チャンバ（３０４Ｂ、７０４Ｂ、９０４Ｂ）の少なくとも一方を翼形部（１０２）の内側に配置された冷却剤ソースチャンバ（３０２、７０２、８０２、９０２、１００２、１１０２、１２０２）と流体結合するステップ（１４０２）であって、前記第１の本体冷却チャンバ（３０４Ａ、７０４Ａ、９０４Ａ）および前記第２の本体冷却チャンバ（３０４Ｂ、７０４Ｂ、９０４Ｂ）は、前記翼形部（１０２）のチップ本体（１４４）の内側に配置され、前記翼形部（１０２）は、前記翼形部（１０２）の半径方向長さ（１２４）に沿って前記翼形部（１０２）のハブ端部（１３０）と前記翼形部（１０２）のチップ端部（１２８）との間に延在するように構成され、前記翼形部（１０２）の前記チップ端部（１２８）は、前記チップ本体（１４４）およびチップレール（１４２）を含み、前記冷却剤ソースチャンバ（３０２、７０２、８０２、９０２、１００２、１１０２、１２０２）は、冷却剤（６３０）を前記冷却剤ソースチャンバ（３０２、７０２、８０２、９０２、１００２、１１０２、１２０２）から出て、前記第１または第２の本体冷却チャンバ（３０４Ａ、７０４Ａ、９０４Ａ、３０４Ｂ、７０４Ｂ、９０４Ｂ）の少なくとも一方に導くように構成され、前記第２の本体冷却チャンバ（３０４Ｂ、７０４Ｂ、９０４Ｂ）の少なくとも一部は、前記翼形部（１０２）の前記半径方向長さ（１２４）に沿って前記チップ端部（１２８）と前記第１の本体冷却チャンバ（３０４Ａ、７０４Ａ、９０４Ａ）との間に配置される、ステップ（１４０２）と、
前記翼形部（１０２）の前記チップレール（１４２）の内側に配置されたレール冷却チャンバ（３０６、７０６、８０６、９０６、１００６、１１０６、１２０６）を、前記第１または第２の本体冷却チャンバ（３０４Ａ、７０４Ａ、９０４Ａ、３０４Ｂ、７０４Ｂ、９０４Ｂ）の少なくとも一方と流体結合するステップ（１４０４）であって、前記第１または第２の本体冷却チャンバ（３０４Ａ、７０４Ａ、９０４Ａ、３０４Ｂ、７０４Ｂ、９０４Ｂ）の前記少なくとも一方は、前記冷却剤（６３０）の少なくとも一部を前記第１または第２の本体冷却チャンバ（３０４Ａ、７０４Ａ、９０４Ａ、３０４Ｂ、７０４Ｂ、９０４Ｂ）から前記レール冷却チャンバ（３０６、７０６、８０６、９０６、１００６、１１０６、１２０６）に導くように構成される、ステップ（１４０４）と、
を含む方法（１３００）。
【発明の詳細な説明】
【技術分野】
【０００１】
本明細書に記載される主題は、タービン翼形部などの機器のための冷却アセンブリに関する。
【背景技術】
【０００２】
タービンアセンブリは、エンジンの動作中に熱負荷が増加することがあり得る。タービンアセンブリの構成要素を損傷から保護するために、冷却流体をタービンアセンブリ内および／またはタービンアセンブリ上に導くことができる。構成要素の温度は、構成要素の寿命とタービン効率のバランスをとるために、インピンジメント冷却、構成要素内の通路を通る冷却流および膜冷却の組合せによって管理することができる。効率の向上は、焼成温度を上げる、冷却流量を減らす、またはそれらの組合せで実現することができる。
【０００３】
公知のタービンアセンブリの冷却に関する１つの問題は、タービンブレードのチップとレールの内部冷却が不十分であることである。タービンブレードのチップ端部にあるレールは高い熱負荷を受け、翼形部のチップ端部がタービンブレードの最も高温な領域の１つになる。外部チップ流れ場は過度にカオス的であり、タービンブレードの総熱負荷を低減するために過剰な量の冷却流体を必要とする場合がある。したがって、改善されたシステムは、改善された冷却範囲と翼形部の内側の改善された冷却ポテンシャルを提供し、それにより、翼形部の重要な部分の平均的および／または局所的な内部温度を下げ、エンジンのより効率的な動作を可能にし、かつ／またはタービン機械の寿命を向上させることができる。
【先行技術文献】
【特許文献】
【０００４】
【特許文献１】米国特許出願公開第２０１５／１０４３２７号明細書
【発明の概要】
【０００５】
一実施形態では、冷却アセンブリは、タービンアセンブリの翼形部の内側に配置された冷却剤ソースチャンバを含む。冷却剤ソースチャンバは、冷却剤をタービンアセンブリの翼形部の内側に導くように構成されている。翼形部は、翼形部の半径方向長さに沿って翼形部のハブ端部と翼形部のチップ端部との間で延在する。翼形部のチップ端部は、チップ本体およびチップレールを含む。冷却アセンブリは、翼形部のチップ本体の内側に配置された第１の本体冷却チャンバおよび第２の本体冷却チャンバを含む。第２の本体冷却チャンバの少なくとも一部は、翼形部の半径方向長さに沿ってチップ端部と第１の本体冷却チャンバとの間に配置される。第１または第２の本体冷却チャンバの少なくとも一方は、冷却剤ソースチャンバと流体結合される。冷却剤ソースチャンバは、冷却剤の少なくとも一部を第１または第２の本体冷却チャンバの１つまたは複数に導くように構成される。冷却アセンブリはまた、翼形部のチップレールの内側に配置されたレール冷却チャンバを含む。レール冷却チャンバは、第１または第２の本体冷却チャンバのうちの少なくとも一方と流体結合される。第１または第２の本体冷却チャンバの少なくとも一方は、冷却剤の少なくとも一部を少なくとも一方の第１または第２の本体冷却チャンバからレール冷却チャンバに導くように構成される。
【０００６】
一実施形態では、冷却アセンブリは、タービンアセンブリの翼形部の内側に配置された冷却剤ソースチャンバを含む。冷却剤ソースチャンバは、冷却剤をタービンアセンブリの翼形部の内側に導くように構成されている。翼形部は、翼形部の半径方向長さに沿って翼形部のハブ端部と翼形部のチップ端部との間で延在する。翼形部のチップ端部は、チップ本体およびチップレールを含む。冷却アセンブリは、翼形部のチップ本体の内側に配置された第１の本体冷却チャンバおよび第２の本体冷却チャンバを含む。第２の本体冷却チャンバの少なくとも一部は、翼形部の半径方向長さに沿ってチップ端部と第１の本体冷却チャンバとの間に配置される。第１または第２の本体冷却チャンバの少なくとも一方は、冷却剤ソースチャンバと流体結合される。冷却剤ソースチャンバは、冷却剤の少なくとも一部を第１または第２の本体冷却チャンバの１つまたは複数に導くように構成される。冷却アセンブリはまた、翼形部のチップレールの内側に配置されたレール冷却チャンバを含む。レール冷却チャンバは、第１または第２の本体冷却チャンバのうちの少なくとも一方と流体結合される。第１または第２の本体冷却チャンバの少なくとも一方は、冷却剤の少なくとも一部を少なくとも一方の第１または第２の本体冷却チャンバからレール冷却チャンバに導くように構成される。１つまたは複数の排出チャネルは、レール冷却チャンバのうちの１つもしくは複数または第１もしくは第２の本体冷却チャンバのうちの１つもしくは複数と流体結合される。１つまたは複数の排出チャネルは、冷却剤の少なくとも一部を翼形部の外に導くように構成される。
【０００７】
一実施形態では、方法は、第１の本体冷却チャンバまたは第２の本体冷却チャンバの少なくとも一方を翼形部の内側に配置された冷却剤ソースチャンバと流体結合するステップを含む。第１の本体冷却チャンバおよび第２の本体冷却チャンバは、翼形部のチップ本体の内側に配置される。翼形部は、翼形部の半径方向長さに沿って翼形部のハブ端部と翼形部のチップ端部との間で延在する。翼形部のチップ端部は、チップ本体およびチップレールを含む。冷却剤ソースチャンバは、冷却剤を冷却剤ソースチャンバから出て、第１または第２の本体冷却チャンバの少なくとも一方に導くように構成される。第２の本体冷却チャンバの少なくとも一部は、翼形部の半径方向長さに沿ってチップ端部と第１の本体冷却チャンバとの間に配置される。本方法はまた、翼形部のチップレールの内側に配置されたレール冷却チャンバを、第１または第２の本体冷却チャンバの少なくとも一方と流体結合するステップを含む。第１または第２の本体冷却チャンバの少なくとも一方は、冷却剤の少なくとも一部を第１または第２の本体冷却チャンバからレール冷却チャンバに導くように構成される。
【０００８】
本発明の主題は、添付の図面を参照して非限定的な実施形態の以下の説明を読むことによって、より良く理解されるであろう。
【図面の簡単な説明】
【０００９】
【図１】一実施形態によるタービンアセンブリを示す図である。
【図２】一実施形態による翼形部の斜視図である。
【図３】一実施形態による翼形部の部分断面斜視図である。
【図４】一実施形態による図３の翼形部の断面上面図である。
【図５】一実施形態による図３の翼形部の断面上面図である。
【図６】一実施形態による翼形部の断面正面図である。
【図７】一実施形態による翼形部の断面正面図である。
【図８】一実施形態による翼形部の断面正面図である。
【図９】一実施形態による翼形部の断面正面図である。
【図１０】一実施形態による翼形部の断面正面図である。
【図１１】一実施形態による翼形部の断面正面図である。
【図１２】一実施形態による翼形部の断面正面図である。
【図１３】一実施形態による図１２の翼形部の断面上面図である。
【図１４】一実施形態による、翼形部を冷却するための方法のフローチャートを示す図である。
【発明を実施するための形態】
【００１０】
本明細書に記載された本発明の主題の１つまたは複数の実施形態は、タービン翼形部のチップ端部を効果的に冷却するシステムおよび方法に関する。タービン翼形部のチップ端部にあるレールは、空力損失を減らし、タービンアセンブリの効率を高めることを促進するために使用される。翼形部のチップ端部は高い熱負荷を受け、効果的に冷却するのが難しい。本システムおよび方法は、冷却剤ソースチャンバを２つ以上の本体冷却チャンバの少なくとも１つと流体結合し、２つ以上の本体冷却チャンバの少なくとも１つを翼形部のチップ端部の内側の１つまたは複数のレール冷却チャンバと流体結合する。例えば、冷却剤または冷却流体は、翼形部のチップ端部の内部温度を効果的に冷却するために、冷却剤ソースチャンバの内側から、２つ以上の本体冷却チャンバおよび１つまたは複数のレール冷却チャンバを通して導かれ得る。本明細書の主題の１つの技術的効果は、翼形部のチップ端部の内側を冷却する効果を高めることである。例えば、翼形部のチップ本体の内側および翼形部のチップ端部のチップレールの内側の複数の冷却チャンバを通して冷却剤を導くことにより、翼形部の内側の潜在的な熱伝達の増加が改善される。本明細書の主題の１つの技術的効果は、改善された冷却であり、それにより、冷却剤の流れまたは体積を減少させて翼形部の温度を低下させ、それにより部品寿命を延ばし、計画外の停止を減少させることができる。
【００１１】
図１は、一実施形態によるタービンアセンブリ１０を示す。タービンアセンブリ１０は、空気が矢印５０の方向でタービンアセンブリ１０に入る入口１６を含む。空気は、入口１６から圧縮機１８を通り、燃焼器２０を通り、タービン２２を通って排気部２４に向かう方向５０に移動する。回転シャフト２６は、タービンアセンブリ１０の１つまたは複数の回転部品を貫通し、かつそれらに連結されている。
【００１２】
圧縮機１８およびタービン２２は、複数の翼形部を含む。翼形部は、１つまたは複数のブレード３０、３０’またはガイドベーン３６、３６’であってもよい。ブレード３０、３０’は、ガイドベーン３６、３６’から方向５０に軸方向にオフセットされている。ガイドベーン３６、３６’は固定部品である。ブレード３０、３０’は、シャフト２６と動作可能に結合され、シャフト２６と共に回転する。
【００１３】
図２は、一実施形態による、図１のタービンアセンブリ１０の翼形部１０２の斜視図を示す。翼形部１０２は、タービンアセンブリ１０で使用されるタービンブレードであってもよい。翼形部１０２は、正圧側１１４と、正圧側１１４の反対側の負圧側１１６と、を有する。正圧側１１４および負圧側１１６は、前縁１１８および前縁１１８の反対側の後縁１２０によって相互接続される。正圧側１１４は、概して凹状形状であり、負圧側１１６は、前縁１１８と後縁１２０との間で概して凸状形状である。例えば、概して凹状の正圧側１１４および概して凸状の負圧側１１６は、圧縮された作動流体がタービンアセンブリ１０を通って流れる空気力学的表面を提供する。
【００１４】
翼形部１０２は、前縁１１８と後縁１２０との間で軸方向長さ１２６に延びている。任意選択で、軸方向長さ１２６は、前縁１１８と後縁１２０との間の翼弦方向長さと呼ばれてもよい。翼形部１０２は、チップ端部１２８とハブ端部１３０との間で翼幅方向長さまたは半径方向長さ１２４に延びている。例えば、軸方向長さ１２６は、半径方向長さ１２４に対してほぼ垂直である。１つまたは複数の実施形態では、ハブ端部１３０は、タービンアセンブリ１０の回転シャフト２６と動作可能に結合することができ、翼形部１０２は、翼形部１０２の半径方向長さ１２４に沿って回転シャフト２６から離れて延在する。
【００１５】
翼形部１０２のチップ端部１２８は、チップレール１４２およびチップ本体１４４を有する。チップレール１４２は、一般にスキーラーチップと呼ばれるブレードチップレールである。チップレール１４２は、翼形部１０２の正圧側１１４および負圧側１１６にそれぞれ配置された正圧側チップレール１４２Ａおよび負圧側チップレール１４２Ｂを含む。例えば、正圧側チップレール１４２Ａは、翼形部１０２の前縁１１８と後縁１２０との間の正圧側１１４の周囲に沿って少なくとも部分的に延在してもよく、負圧側チップレール１４２Ｂは、翼形部１０２の前縁１１８と後縁１２０との間の負圧側１１６の周囲に沿って少なくとも部分的に延在してもよい。任意選択で、チップレール１４２は、正圧側１１４または負圧側１１６の一方だけの周囲に沿って延在してもよい。任意選択で、チップレール１４２は、正圧側１１４および負圧側１１６に沿って延在してもよく、１つまたは複数のチップレールは、正圧側１１４と負圧側１１６との間、および前縁１１８と後縁１２０との間に延在する。
【００１６】
翼形部１０２は、翼形部１０２の正圧側１１４と負圧側１１６との間に延在する、チップ端部１２８の近くのチップフロア面１３２を有する。正圧側チップレール１４２Ａは、チップフロア面１３２から半径方向外向きに延び、翼形部１０２の軸方向長さ１２６に沿って前縁１１８と後縁１２０との間に延在する。例えば、正圧側チップレール１４２Ａは、翼形部１０２の半径方向長さ１２４に沿って、チップフロア面１３２から離れて延在する。正圧側チップレール１４２Ａの経路は、正圧側チップレール１４２Ａは、正圧側１１４の外側半径方向縁部と整列するように、正圧側１１４の外側半径方向縁部に隣接するか、またはその近くにある。負圧側チップレール１４２Ｂは、チップフロア面１３２から半径方向外向きに延び、翼形部１０２の軸方向長さ１２６に沿って前縁１１８と後縁１２０との間に延在する。例えば、負圧側チップレール１４２Ｂは、翼形部１０２の半径方向長さ１２４に沿ってチップフロア面１３２から離れた距離に延在する。負圧側チップレール１４２Ｂの経路は、負圧側チップレール１４２Ｂが負圧側１１６の外側半径方向縁部と整列するように、翼形部１０２の負圧側１１６の外側半径方向縁部に隣接するか、またはその近くにある。任意選択で、正圧側チップレール１４２Ａおよび負圧側チップレール１４２Ｂは、翼形部１０２の軸方向長さ１２６に沿って前縁１１８と後縁１２０との間の代替的なプロファイルに従ってもよい。例えば、正圧側チップレール１４２Ａおよび／または負圧側チップレール１４２Ｂは、それぞれ正圧側１１４または負圧側１１６の外側半径方向縁部からある距離だけ離れて動いてもよい。
【００１７】
翼形部１０２のチップ端部１２８に複数の排出孔１１２を設けることができる。図示する実施形態では、翼形部１０２は、チップ端部１２８のチップレール１４２に配置された複数の上部レール排出孔１１２ａ、内側レール排出孔１１２ｂ、および外側レール排出孔１１２ｃを含む。レール排出孔１１２ａ、１１２ｂ、１１２ｃは、前縁１１８と後縁１２０との間のチップレール１４２に沿って互いに実質的に等しい距離または他の所定の距離で配置されてもよい。さらに、翼形部１０２は、チップ端部１２８のチップ本体１４４に配置された複数の本体排出孔１１２ｄ、複数のソース排出孔１１２ｅ、および複数のチップフロア排出孔１１２ｆを含むことができる。本体排出孔１１２ｄおよびソース排出孔１１２ｅは、前縁１１８と後縁１２０との間の正圧側１１４および負圧側１１６（図示せず）の少なくとも一つに沿って互いに実質的に等しいまたは他の所定の距離だけ離れて配置される。任意選択で、翼形部１０２は、互いに均一または不均一な距離で配置され得る任意の数のチップレール排出孔、本体排出孔、チップフロア排出孔、および／またはソース排出孔を含むことができる（例えば、パターン構成、ランダム構成、またはパターンとランダムの組合せなど）。排出孔１１２は、任意の共通および／または独特の形状および／またはサイズ、あるいはその中の任意の組合せを有することができる。それに加えてまたはその代わりに、翼形部１０２は、翼形部１０２の半径方向長さ１２４に沿って前縁１１８および／または後縁１２０に沿って配置された任意の数の排出孔を含むことができる。
【００１８】
図３は、一実施形態による翼形部１０２の断面Ｃ−Ｃの部分断面斜視図を示す。翼形部１０２は、翼形部１０２の半径方向長さ１２４に沿って翼形部１０２のチップ端部１２８に配置された冷却アセンブリ１０３を含む。図３の図示した実施形態では、冷却アセンブリ１０３は、２つの本体冷却チャンバ３０４Ａ、３０４Ｂおよびレール冷却チャンバ３０６を含む。任意選択で、冷却アセンブリ１０３は、３つ以上の本体冷却チャンバ３０４Ａ、３０４Ｂ、２つ以上のレール冷却チャンバ３０６、またはそれらの任意の組合せを含むことができる。冷却アセンブリ１０３の代替的な実施形態は、以下でより詳細に説明される。
【００１９】
本体冷却チャンバ３０４Ａ、３０４Ｂは、翼形部１０２のチップ本体１４４の内側に配置される。本体冷却チャンバ３０４Ａ、３０４Ｂは、翼形部１０２のチップ本体１４４内に完全に収容される。図示する実施形態では、第２の本体冷却チャンバ３０４Ｂは、第１の本体冷却チャンバ３０４Ａに対してチップフロア面１３２に近接して配置される。例えば、第２の本体冷却チャンバ３０４Ｂの少なくとも一部は、翼形部１０２の半径方向長さ１２４に沿って、チップフロア面１３２と第１の本体冷却チャンバ３０４Ａとの間に配置される。任意選択で、第１および第２の本体冷却チャンバ３０４Ａ、３０４Ｂは、翼形部１０２のチップ本体１４４の内側に任意の代替的構成で配置されてもよい。それに加えてまたはその代わりに、冷却アセンブリ１０３は、翼形部１０２のチップ本体１４４の内側に配置された、および／または翼形部１０２の内側に任意の構成で配置された任意の数の本体冷却チャンバ３０４を含んでもよい。
【００２０】
レール冷却チャンバ３０６は、翼形部１０２のチップレール１４２の内側に配置され、単一のレール冷却チャンバ３０６として、正圧側チップレール１４２Ａおよび負圧側チップレール１４２Ｂに沿って延在する。図示する実施形態では、レール冷却チャンバ３０６は、翼形部１０２のチップレール１４２内に完全に収容される。例えば、レール冷却チャンバ３０６は、正圧側チップレール１４２Ａの内側で翼形部１０２の正圧側１１４に沿って延在し、負圧側チップレール１４２Ｂの内側で翼形部１０２の負圧側１１６に沿って延在する。任意選択で、レール冷却チャンバ３０６は、翼形部１０２のチップ本体１４４とチップレール１４２との間に延在してもよい。それに加えてまたはその代わりに、冷却アセンブリ１０３は、翼形部１０２のチップレール１４２の内側に配置され、チップ本体１４４の一部の内側およびチップレール１４２の内側に配置された２つ以上のレール冷却チャンバ３０６、あるいはそれらの任意の組合せを含んでもよい。例えば、冷却アセンブリ１０３は、異なる負圧側レール冷却チャンバとは別個の正圧側レール冷却チャンバを含むことができ、両方が２つの単一のレール冷却チャンバ３０６などとして正圧側チップレール１４２Ａおよび負圧側チップレール１４２Ｂに沿って少なくとも部分的に延在する２つ以上のレール冷却チャンバを含むことができる。
【００２１】
冷却アセンブリ１０３はまた、翼形部１０２の内側に完全に収容される冷却剤ソースチャンバ３０２を含む。冷却剤ソースチャンバ３０２は、翼幅方向または半径方向長さ１２４に沿って、本体冷却チャンバ３０４およびレール冷却チャンバ３０６に対してハブ端部１３０に近接する位置に配置される。図示する実施形態では、冷却剤ソースチャンバ３０２は、軸方向長さ１２６（図１）に沿って、かつ半径方向長さ１２４（図示せず）に沿って翼幅方向に延在する単一の冷却チャンバである。任意選択で、冷却アセンブリ１０３は、任意の数の冷却剤ソースチャンバ３０２を含むことができる。例えば、冷却アセンブリ１０３は、翼幅方向に延在することができる１つまたは複数の冷却剤ソースチャンバを含んでもよく、あるいは、通路、チャネル、入口、出口、リブ、ピンバンク、回路、サブ回路、膜孔、プレナム、メッシュ、タービュレータなどの複数の特徴部を有する複雑な冷却回路であってもよい。
【００２２】
冷却剤ソースチャンバ３０２は、半径方向長さ１２４に沿って翼形部１０２のハブ端部１３０に近接する１つまたは複数の入口通路（図示せず）と流体結合される。入口通路は、冷却剤を翼形部１０２の外側の位置から冷却剤ソースチャンバ３０２内に導くことができる。例えば、冷却剤は、翼形部１０２を冷却し、かつ／または翼形部１０２の温度を管理するため、あるいはタービンアセンブリ１０の翼形部１０２の１つまたは複数の構成要素または特徴部の温度を管理するために、冷却剤ソースチャンバ３０２に導くことができる。
【００２３】
第１の本体冷却チャンバ３０４Ａは、冷却剤ソースチャンバ３０２と第１の本体冷却チャンバ３０４Ａとの間に延在する１つまたは複数のソース冷却剤チャネル３１２を介して冷却剤ソースチャンバ３０２と流体結合される。例えば、冷却剤ソースチャンバ３０２は、第１の本体冷却チャンバ３０４Ａを冷却するために、冷却剤ソースチャンバ３０２の内側の少なくともいくつかの冷却剤を１つまたは複数のソース冷却剤チャネル３１２を通して第１の本体冷却チャンバ３０４Ａ内に導く。任意選択で、冷却剤ソースチャンバ３０２は、冷却剤ソースチャンバ３０２が冷却剤を第１および第２の本体冷却チャンバ３０４Ａ、３０４Ｂに導くことができるように、第１および第２の本体冷却チャンバ３０４Ａ、３０４Ｂの両方と流体結合されてもよい。例えば、１つまたは複数のソース冷却剤チャネル３１２が第２の本体冷却チャンバ３０４Ｂと流体結合されてもよく、１つまたは複数の異なるソース冷却剤チャネル３１２が第１の本体冷却チャンバ３０４Ａと流体結合されてもよい。任意選択で、冷却剤ソースチャンバ３０２が、複数のソース冷却剤チャネル３１２を有する任意の数の本体冷却チャンバ３０４に流体結合されてもよい。ソース冷却剤チャネル３１２は、翼形部１０２の内側の任意の場所に配置することができ、翼形部１０２の内側の１つまたは複数の表面の温度を制御するために、冷却剤ソースチャンバ３０２から第１の本体冷却チャンバ３０４Ａに導かれる冷却剤の方向、圧力、量（例えば、体積）などを制御するために、例えば、円形、楕円形、長円形、切頭円錐形、長方形、または角形など、向き、形状、および直径が変化する。
【００２４】
第１の本体冷却チャンバ３０４Ａは、第２の本体冷却チャンバ３０４Ｂと第１の本体冷却チャンバ３０４Ａとの間に延在する１つまたは複数の本体冷却剤チャネル３１４を介して第２の本体冷却チャンバ３０４Ｂに流体結合される。例えば、第１の本体冷却チャンバ３０４Ａは、第２の本体冷却チャンバ３０４Ｂを冷却するために、第１の本体冷却チャンバ３０４Ａの内側から１つまたは複数の本体冷却剤チャネル３１４を通って第２の本体冷却チャンバ３０４Ｂに冷却剤の少なくとも一部を導く。任意選択で、第２の本体冷却チャンバ３０４Ｂは、冷却剤ソースチャンバ３０２と流体結合されてもよく、第１の本体冷却チャンバ３０４Ａと流体結合されなくてもよい。
【００２５】
レール冷却チャンバ３０６は、第２の本体冷却チャンバ３０４Ｂとレール冷却チャンバ３０６との間に延在する１つまたは複数のレール冷却剤チャネル３１６を介して、第２の本体冷却チャンバ３０４Ｂに流体結合される。例えば、第２の本体冷却チャンバ３０４Ｂは、レール冷却チャンバ３０６を冷却するために、第２の本体冷却チャンバ３０４Ｂの内側から１つまたは複数のレール冷却剤チャネル３１６を通ってレール冷却チャンバ３０６に冷却剤の少なくとも一部を導く。図示する実施形態では、レール冷却剤チャネル３１６は、第２の本体冷却チャンバ３０４Ｂを、正圧側チップレール１４２Ａの内側および負圧側チップレール１４２Ｂの内側のレール冷却チャンバ３０６と流体結合させる。任意選択で、レール冷却剤チャネル３１６は、第２の本体チャンバ３０４Ｂを正圧側チップレール１４２Ａの内側のレール冷却チャンバ３０６と流体結合してもよく、第２の本体チャンバ３０４Ｂを負圧側チップレール１４２Ｂの内側のレール冷却チャンバ３０６と流体結合しなくてもよい。それに加えてまたはその代わりに、レール冷却チャンバ３０６は、第１の本体冷却チャンバ３０４Ａと流体結合され、第２の本体冷却チャンバ３０４Ｂと流体結合されてもよい。例えば、１つまたは複数のレール冷却剤チャネル３１６は、第１の本体冷却チャンバ３０４Ａからレール冷却チャンバ３０６に冷却剤を導いてもよく、１つまたは複数の他のレール冷却剤チャネル３１６は、第２の本体冷却チャンバ３０４Ｂからレール冷却チャンバ３０６に冷却剤を導いてもよい。任意選択で、レール冷却チャンバ３０６は、冷却剤ソースチャンバ３０２と流体結合されてもよい。任意選択で、レール冷却チャンバ３０６、第１および／または第２の本体冷却チャンバ３０４Ａ、３０４Ｂ、または冷却剤ソースチャンバ３０２のうちの１つまたは複数は、任意の構成で任意の他の冷却チャンバと流体結合されてもよい。
【００２６】
図示する実施形態では、レール冷却チャンバ３０６は、長方形の断面形状を有する。任意選択で、レール冷却チャンバ３０６の少なくとも一部は、例えば、円形、楕円形、シェブロン、砂時計形、ひし形、正弦波状または波状、および／または鋸歯状など、非長方形の断面形状を有してもよい。任意選択で、冷却チャンバ３０６の幅、高さ、形状、および／または容積は、その軸方向長さに沿って変化してもよい。
【００２７】
図４は、一実施形態による、図３の断面Ａ−Ａの詳細な断面上面図を示す。断面Ａ−Ａは、翼形部１０２の軸方向長さ１２６に沿って翼幅方向にレール冷却チャンバ３０６を通って延びる。チップレール１４２は、前縁１１８と後縁１２０との間で翼形部１０２の正圧側１１４および負圧側１１６の周囲に沿って延在する。チップレール１４２は、レール内面４１６およびレール外面４１８を含む。レール内面４１６は、チップレール１４２の周囲に沿って延在し、チップフロア面１３２に向かう方向に面して配置される。さらに、レール外面４１８は、チップレール１４２の周囲に沿って延在し、チップフロア面１３２から離れる方向に面して配置される。例えば、レール内面４１６は翼形部１０２の内部に向かう方向に面し、レール外面４１８は翼形部１０２から離れる方向に面する。
【００２８】
レール冷却チャンバ３０６は、翼形部１０２の周囲に沿って延在するレール内面４１６とレール外面４１８との間のチップレール１４２の内側に配置される。レール冷却チャンバ３０６は、レール内面４１６とレール外面４１８との間に延在し、チップレール１４２に沿って互いに一定の距離を置いて配置される複数の仕切り４２０を含む。仕切り４２０は、壁、タービュレータ、エクステンションなどであってもよく、部分的に、実質的に、または全体的になど、レール冷却チャンバ３０６を複数のレール冷却チャンバ３０６に分離して封止することができる。例えば、仕切り４２０は、冷却剤が１つのレール冷却チャンバから別のレール冷却チャンバに流れる量を低減するか、または実質的に防止することができる。
【００２９】
図示する実施形態では、レール冷却チャンバ３０６は、各仕切りが他の各仕切り４２０から実質的に均一な距離を置いて配置された６つの仕切り４２０を含む。仕切り４２０は、各仕切り４２０の間に２つのレール冷却剤チャネル３１６が配置されるように配置される。任意選択で、レール冷却チャンバ３０６は、仕切り４２０の間に配置された任意の数のレール冷却剤チャネル３１６で互いに均一または不均一に離間され得る任意の数の仕切り４２０を含んでもよい。任意選択で、レール冷却チャンバ３０６は、正圧側チップレール１４２Ａに沿って仕切り４２０を含まなくてもよく、負圧側チップレール１４２Ｂに沿って仕切り４２０を含まなくてもよく、正圧側および／または負圧側チップレール１４２Ａ、１４２Ｂ、あるいはその中の任意の組合せに沿って配置された任意の数の仕切り４２０および冷却剤チャネル３１６を含んでもよい。例えば、仕切り４２０および／またはレール冷却剤チャネル３１６は、翼形部１０２の内側の１つまたは複数の表面の温度を制御するために（図３の）第２の本体冷却チャンバ３０４Ｂからレール冷却チャンバ３０６に導かれる冷却剤の方向、量（例えば、体積）などを制御するために、レール冷却チャネル３０６の内側のチップレール１４２に沿った任意の場所に配置され得る。
【００３０】
図５は、一実施形態による図３の断面Ｂ−Ｂの詳細な断面上面図を示す。断面Ｂ−Ｂは、翼形部１０２の軸方向長さ１２６に沿って翼幅方向に第２の本体冷却チャンバ３０４Ｂを通って延びる。第２の本体冷却チャンバ３０４Ｂの断面図の詳細のみが示されているが、第１の本体冷却チャンバ３０４Ａは、第２の本体冷却チャンバ３０４Ｂと同じまたは実質的に同様の構成を有することができる。
【００３１】
翼形部１０２は、正圧側内面５１４および負圧側内面５１６を含む。第２の本体冷却チャンバ３０４Ｂは、軸方向長さ１２６に沿って翼幅方向に、正圧側内面５１４と負圧側内面５１６との間で少なくとも部分的に延在する。図示する実施形態では、第２の本体冷却チャンバ３０４Ｂは、翼形部１０２の内側の前縁１１８に近い場所から後縁１２０に近い場所まで、正圧側内面５１４と負圧側内面５１６との間で細長く延在する単一のチャンバである。任意選択で、第２の本体冷却チャンバ３０４Ｂは、第２の本体冷却チャンバ３０４Ｂを、実質的に均一または不均一な形状および／またはサイズ（例えば、図１３に示す）を有し得る複数の冷却チャンバまたはチャネルに分離し得る１つまたは複数の壁または仕切りなどを含んでもよい。任意選択で、第１および／または第２の本体冷却チャンバ３０４Ａ、３０４Ｂは、実質的に均一または不均一な形状および／またはサイズを有し得る複数の冷却チャンバまたはチャネルを含む第１および／または第２の本体冷却チャンバ３０４Ａ、３０４Ｂを分離し得る任意の数の壁または仕切りを含むことができる。例えば、第１の本体冷却チャンバ３０４Ａは単一のチャンバであってもよく、第２の本体冷却チャンバ３０４Ｂは１つまたは複数の壁、間仕切り、または仕切りなどを有してもよい。任意選択で、第１および／または第２の本体冷却チャンバ３０４Ａ、３０４Ｂは、任意の代替的構成を有してもよい。
【００３２】
第２の本体冷却チャンバ３０４Ｂは、第１の本体冷却チャンバ３０４Ａと第２の本体冷却チャンバ３０４Ｂとの間に延在する１つまたは複数の本体冷却剤チャネル３１４で第１の本体冷却チャンバ３０４Ａと流体結合される。図示する実施形態では、本体冷却剤チャネル３１４は、軸方向長さ１２６に沿った翼幅方向のパターン構成で翼形部１０２の内側に配置される。任意選択で、本体冷却剤チャネル３１４は、翼形部１０２の内側の任意の場所に任意のパターン構成またはランダム構成で配置することができる。例えば、翼形部１０２は、後縁１２０に対して前縁１１８に近接する位置に配置された複数の本体冷却剤チャネル３１４を含むことができ、翼形部１０２は、正圧側１１４に対して負圧側１１６に近接する位置に配置された複数の本体冷却剤チャネル３１４、またはその中の任意の組合せを含むことができる。本体冷却剤チャネル３１４は、翼形部１０２の内側の１つまたは複数の表面の温度を制御するために、（図３の）第１の本体冷却チャンバ３０４Ａから第２の本体冷却チャンバ３０４Ｂに導かれる冷却剤の方向、圧力、量（例えば、体積）などを制御するために、翼形部１０２の内側の任意の場所に配置することができ、例えば、円形、楕円形、長円形、切頭円錐形、長方形、または角形など、向き、形状、および直径が変化してもよい。
【００３３】
図６は、図２の翼形部１０２の断面Ｃ−Ｃの冷却アセンブリ１０３の部分断面正面図を示す。冷却剤ソースチャンバ３０２は、１つまたは複数のソース冷却剤チャネル３１２を介して第１の本体冷却チャンバ３０４Ａと流体結合される。例えば、ソース冷却剤チャネル３１２は、冷却剤ソースチャンバ３０２の第１の表面６０２と第１の本体冷却チャンバ３０４Ａの第１の表面６０４との間に延在する通路または導管である。冷却剤ソースチャンバ３０２は、冷却剤ソースチャンバ３０２の内側からソース冷却剤チャネル３１２を通って第１の本体冷却チャンバ３０４Ａ内に冷却剤６３０の少なくとも一部を導く。図示する実施形態では、３つのソース冷却剤チャネル３１２は、冷却剤ソースチャンバ３０２を第１の本体冷却チャンバ３０４Ａと流体結合し、実質的に均一な体積の冷却剤６３０が３つのソース冷却剤チャネル３１２のそれぞれを通して導かれる。任意選択で、任意の数のソース冷却剤チャネル３１２は、冷却剤ソースチャンバ３０２を第１の本体冷却チャンバ３０４Ａと流体結合してもよく、ソース冷却剤チャネル３１２は、実質的に均一または不均一な量の冷却剤６３０を３つのソース冷却剤チャネル３１２の各々に導いてもよい。
【００３４】
第１の本体冷却チャンバ３０４Ａは、１つまたは複数の本体冷却剤チャネル３１４を介して第２の本体冷却チャンバ３０４Ｂと流体結合される。例えば、本体冷却剤チャネル３１４は、第１の本体冷却チャンバ３０４Ａの第２の表面６０６と第２の本体冷却チャンバ３０４Ｂの第１の表面６０８との間に延在する通路または導管である。第１の本体冷却チャンバ３０４Ａは、冷却剤６３０の少なくとも一部を、第１の本体冷却チャンバ３０４Ａの内側から、本体冷却剤チャネル３１４を介して第２の本体冷却チャンバ３０４Ｂに導く。図示する実施形態では、７つの本体冷却剤チャネル３１４が第１および第２の本体冷却チャンバ３０４Ａ、３０４Ｂを流体結合し、実質的に均一な体積の冷却剤６３０が７つの本体冷却剤チャネル３１４の各々を通して導かれる。任意選択で、任意の数の本体冷却剤チャネル３１４が、第１および第２の本体冷却チャンバ３０４Ａ、３０４Ｂを流体結合してもよく、本体冷却剤チャネル３１４が、実質的に均一または不均一な体積の冷却剤６３０を本体冷却剤チャネル３１４の各々を通して導いてもよい。
【００３５】
第２の本体冷却チャンバ３０４Ｂは、１つまたは複数のレール冷却剤チャネル３１６を介してレール冷却チャンバ３０６と流体結合される。例えば、レール冷却剤チャネル３１６は、第２の本体冷却チャンバ３０４Ｂの第２の表面６１０とレール冷却チャンバ３０６の第１の表面６１２との間に延在する通路または導管である。第２の本体冷却チャンバ３０４Ｂは、冷却剤６３０の少なくとも一部を、第２の本体冷却チャンバ３０４Ｂの内側から、レール冷却剤チャネル３１６を通ってレール冷却チャンバ３０６に導く。図示する実施形態では、２つのレール冷却剤チャネル３１６が、第２の本体冷却チャンバ３０４Ｂをレール冷却チャンバ３０６と流体結合する。実質的に均一な体積の冷却剤６３０が、レール冷却剤チャネル３１６の各々を通して導かれる。例えば、レール冷却剤チャネル３１６は、第２の本体冷却チャンバ３０４Ｂを、正圧側チップレール１４２Ａの内側および負圧側チップレール１４２Ｂの内側のレール冷却チャンバ３０６と流体結合する。任意選択で、レール冷却剤チャネル３１６は、第２の本体冷却チャンバ３０４Ｂを正圧側チップレール１４２Ａの内側のレール冷却チャンバ３０６と流体結合してもよく、第２の本体冷却チャンバ３０４Ｂを負圧側チップレール１４２Ｂの内側のレール冷却チャンバ３０６、またはその中の任意の組合せと流体結合しなくてもよい。レール冷却剤チャネル３１６は、レール冷却チャンバ３０６に導かれる冷却剤の方向、圧力、量（例えば、体積）などを制御するために、例えば、円形、楕円形、長円形、切頭円錐形、長方形、または角形など、向き、形状、直径などが変化してもよい。
【００３６】
第１および第２の本体冷却チャンバ３０４Ａ、３０４Ｂは、翼形部の正圧側内面５１４と負圧側内面５１６との間で延在する。図示する実施形態では、第１および第２の本体冷却チャンバ３０４Ａ、３０４Ｂは、正圧側内面５１４と負圧側内面５１６との間に延在する単一のチャンバである。任意選択で、第１または第２の本体冷却チャンバ３０４Ａ、３０４Ｂの１つまたは複数は、正圧側内面５１４と負圧側内面５１６との間で部分的にのみ延在してもよい。
【００３７】
第１の本体冷却チャンバ３０４Ａは、正圧側内面５１４と負圧側内面５１６との間で第１の軸線６２４Ａの少なくとも一部に沿って延在し、それを包含する。さらに、第２の本体冷却チャンバ３０４Ｂは、正圧側内面５１４と負圧側内面５１６との間で第２の軸線６２４Ｂの少なくとも一部に沿って延在し、それを包含する。図示する実施形態では、第１の本体冷却チャンバ３０４Ａの第１の軸線６２４Ａと第２の本体冷却チャンバ３０４Ｂの第２の軸線６２４Ｂは平行である。任意選択で、第１および第２の軸線６２４Ａ、６２４Ｂは、互いに斜めなどであってもよい。さらに、第１の軸線６２４Ａは、翼形部１０２の半径方向長さに実質的に垂直な方向に延在し、第２の軸線６２４Ｂも、翼形部１０２の半径方向長さに実質的に垂直な方向に延在する。任意選択で、第１または第２の軸線６２４Ａ、６２４Ｂの１つまたは複数は、第１または第２の軸線６２４Ａ、６２４Ｂの１つまたは複数が翼形部１０２の半径方向長さに垂直にならないように、任意の代替的方向に延在してもよい。任意選択で、第１または第２の本体冷却チャンバ３０４Ａ、３０４Ｂの１つまたは複数は、半径方向長さ１２４に垂直ではない異なる軸線に沿って延在し、それを包含してもよい。例えば、第１および／または第２の本体冷却チャンバ３０４Ａ、３０４Ｂは、半径方向長さ１２４と実質的に平行な異なる軸線に沿って延在してもよい。
【００３８】
任意選択で、第１または第２の本体冷却チャンバ３０４Ａ、３０４Ｂの１つまたは複数の少なくとも一部は、半径方向長さ１２４に垂直ではない複数の軸線または表面に沿って延在し、それを包含してもよい。例えば、第１および／または第２の冷却チャンバ３０４Ａ、３０４Ｂの少なくとも一部は、楕円形、シェブロン、砂時計形、ひし形、正弦波または波状、鋸歯状、または任意の代替的な非長方形の断面を有してもよい。
【００３９】
１つまたは複数の実施形態では、冷却アセンブリ１０３は、少なくとも一部の冷却剤を翼形部１０２の外に導く１つまたは複数の排出チャネルを含むことができる。例えば、１つまたは複数の排出チャネルは、レール冷却チャンバ３０６、第１の本体冷却チャンバ３０４Ａ、第２の本体冷却チャンバ３０４Ｂ、または冷却剤ソースチャンバ３０２のうちの１つまたは複数と流体結合して、冷却剤を翼形部１０２の外に導くことができる。排出チャネルはまた、本明細書では、ソース排出チャネル６６２、本体排出チャネル６６４、またはレール排出チャネル６６６と呼ばれることもある。ソース排出チャネル６６２は、翼形部１０２の正圧側１１４および／または負圧側１１６に沿って、図２のソース排出孔１１２ｅを介して、冷却剤ソースチャンバ３０２の外にいくらかの冷却剤６３０を導くことができる。本体排出チャネル６６４は、翼形部１０２の正圧側１１４および／または負圧側１１６に沿って図２の本体排出孔１１２ｄを通って第１および／または第２の本体冷却チャンバ３０４Ａ、３０４Ｂの外に冷却剤６３０を導くことができる。本体排出チャネル６６４は、いくらかの冷却剤６３０を、翼形部の図２のチップフロア排出孔１１２ｆを通って第２の本体冷却チャンバ３０４Ｂの外に導くことができる。レール排出チャネル６６６は、いくらかの冷却剤６３０を、チップレール１４２の上面６１４に沿ってレール排出孔１１２ａを通って、レール内面４１６に沿ったレール排出孔１１２ｂを通って、および／またはレール外面４１８に沿ったレール排出孔１１２ｃを通って、レール冷却チャンバから外に導くことができる。１つまたは複数の排出孔またはチャネル１１２ａ、１１２ｂ、１１２ｃ、１１２ｄ、１１２ｅ、１１２ｆは、翼形部から排出される冷却剤の方向、圧力、量（例えば、体積）などを制御するために、例えば、円形、楕円形、長円形、切頭円錐形、長方形、角形、またはその中の任意の組合せなどの、向き、形状、直径などの変化を有することができる。
【００４０】
図示した実施形態では、冷却アセンブリ１０３は、ソース排出チャネル６６２、２つの本体排出チャネル６６４、および３つのレール排出チャネル６６６を含み、これらは翼形部１０２の負圧側１１６および負圧側チップレール１４２Ｂに沿って翼形部１０２の外に冷却剤を導く。任意選択で、冷却アセンブリ１０３は、冷却剤を翼形部１０２の外面に沿って翼形部１０２の外に導くことができる任意の数のソース排出チャネル６６２、本体排出チャネル６６４、および／またはレール排出チャネル６６６を含んでもよい。任意選択で、冷却アセンブリ１０３は、ソース排出チャネル、本体排出チャネル、および／またはレール排出チャネルを欠いていてもよい。任意選択で、冷却アセンブリ１０３は、任意のランダム構成またはパターン構成で翼形部１０２の軸方向長さ１２６（図２）および／または半径方向長さ１２４に沿った任意の場所に配置できる任意の数の排出チャネルを含んでもよい。
【００４１】
１つまたは複数の実施形態では、図３〜図６のチャンバ３０２、３０４、３０６を分離する表面６０２、６０４、６０６、６０８、６１０、６１２は、本明細書ではインピンジメントバッフルと呼ぶこともできる。冷却剤６３０は、冷却チャンバを含まない翼形部１０２に対して翼形部１０２のチップ端部１２８の温度を下げるために、インピンジメントバッフル内のチャネル３１２、３１４、３１６を通って、翼形部１０２のチップ端部１２８の内側に配置された各冷却チャンバに導かれる。インピンジメントバッフルは、代替的な構成要素によって互いに流体結合されている冷却チャンバと比べて、より大きい、対向する壁上の熱伝達量を有する領域またはエリアを作成することができる。
【００４２】
１つまたは複数の実施形態では、冷却アセンブリ１０３は、第１の本体冷却チャンバ３０４Ａの１つまたは複数の内側、第２の本体冷却チャンバ３０４Ｂの内側、あるいはレール冷却チャンバ３０６（図示せず）の内側に配置された１つまたは複数のタービュレータ、ピン、任意の代替的な冷却特徴部などを含むことができる。タービュレータ、ピンなどは、タービュレータ、ピンなどを含まない冷却チャンバと比較して、冷却アセンブリ１０３の１つまたは複数の冷却チャンバの内側の熱伝達量を増加させることができる。
【００４３】
図７は、一実施形態による、図２の翼形部１０２の断面Ｃ−Ｃの冷却アセンブリ７０３の部分断面正面図を示す。冷却アセンブリ７０３は、翼形部１０２のチップ本体１４４の内側に配置された冷却剤ソースチャンバ７０２を含み、冷却剤ソースチャンバ７０２は、１つまたは複数のソース冷却剤チャネル７１２を介して第１の本体冷却チャンバ７０４Ａと流体結合される。冷却剤ソースチャンバ７０２は、冷却剤ソースチャンバ７０２の内側からソース冷却剤チャネル７１２を介して第１の本体冷却チャンバ７０４Ａに冷却剤６３０の少なくとも一部を導く。冷却アセンブリ７０３はまた、翼形部１０２のチップ本体１４４の内側に配置され、かつ１つまたは複数の第１の本体冷却剤チャネル７１４Ａを介して第１の本体冷却チャンバ７０４Ａと流体結合される第２の本体冷却チャンバ７０４Ｂを含む。第１の本体冷却チャンバ７０４Ａは、第１の本体冷却チャンバ７０４Ａの内側から第１の本体冷却剤チャネル７１４Ａを通って第２の本体冷却チャンバ７０４Ｂに冷却剤６３０の少なくとも一部を導く。
【００４４】
冷却アセンブリ７０３はまた、翼形部１０２のチップ本体１４４の内側に配置され、かつ１つまたは複数の第２の本体冷却剤チャネル７１４Ｂを介して第２の本体冷却チャンバ７０４Ｂと流体結合される第３の本体冷却チャンバ７０４Ｃを含む。第２の本体冷却チャンバ７０４Ｂは、第２の本体冷却チャンバ７０４Ｂの内側から第２の本体冷却剤チャネル７１４Ｂを通って第３の本体冷却チャンバ７０４Ｃに冷却剤６３０の少なくとも一部を導く。冷却アセンブリ７０３はまた、翼形部１０２のチップレール１４２の内側に配置され、かつ１つまたは複数のレール冷却剤チャネル７１６を介して第３の本体冷却チャンバ７０４Ｃと流体結合されるレール冷却チャンバ７０６を含む。第３の本体冷却チャンバ７０４Ｃは、冷却剤６３０の少なくとも一部を、第３の本体冷却チャンバ７０４Ｃの内側からレール冷却剤チャネル７１６を介してレール冷却チャンバ７０６に導く。冷却剤チャネル７１２、７１４Ａ、７１４Ｂ、７１６は、冷却剤チャネル３１２、３１４Ａ、３１４Ｂ、および３１６に関して上述したように、向き、形状、直径などの変化を有してもよい。
【００４５】
第１、第２、および第３の本体冷却チャンバ７０４Ａ、７０４Ｂ、７０４Ｃは、翼形部の正圧側内面５１４と負圧側内面５１６との間で延在する。第１の本体冷却チャンバ７０４Ａは、正圧側内面５１４と負圧側内面５１６との間の第１の軸線７２４Ａに沿って延在し、それを包含する。第２の本体冷却チャンバ７０４Ｂは、正圧側内面５１４と負圧側内面５１６との間の第２の軸線７２４Ｂに沿って延在し、それを包含する。第３の本体冷却チャンバ７０４Ｃは、正圧側内面５１４と負圧側内面５１６との間の第３の軸線７２４Ｃに沿って延在し、それを包含する。例えば、第１の本体冷却チャンバ７０４Ａの第１の軸線７２４Ａ、第２の本体冷却チャンバ７０４Ｂの第２の軸線７２４Ｂ、および第３の本体冷却チャンバ７０４Ｃの第３の軸線７２４Ｃは平行である。さらに、第１の軸線７２４Ａは、翼形部１０２の半径方向長さ１２４に実質的に垂直な方向に延在し、第２の軸線７２４Ｂは、翼形部１０２の半径方向長さ１２４に実質的に垂直な方向に延在し、第３の軸線７２４Ｃは、翼形部１０２の半径方向長さ１２４に実質的に垂直である方向に延在する。任意選択で、第１、第２、または第３の軸線７２４Ａ、７２４Ｂ、７２４Ｃのうちの１つまたは複数は、第１、第２、または第３の軸線７２４Ａ、７２４Ｂ、７２４Ｃのうちの１つまたは複数が翼形部１０２の半径方向長さに対して垂直にならないように、任意の代替的方向に延在してもよい。任意選択で、第１、第２、または第３の本体冷却チャンバ７０４Ａ、７０４Ｂ、７０４Ｃの１つまたは複数の少なくとも一部は、冷却チャンバ３０４Ａ、３０４Ｂに関して上述したように、半径方向長さ１２４に垂直ではない複数の軸線または表面に沿って延在し、それを包含してもよい。
【００４６】
図示する実施形態では、第１、第２、および第３の本体冷却チャンバ７０４Ａ、７０４Ｃ、７０４Ｃは、実質的に均一な形状およびサイズを有し、正圧側内面５１４と負圧側内面５１６との間で延在する。任意選択で、本体冷却チャンバ７０４の１つまたは複数は、例えば、楕円形、シェブロン、砂時計形、ひし形、正弦波または波状、鋸歯状、または他の任意の非長方形断面形状などの固有の形状および／またはサイズを有してもよく、正圧側内面５１４と負圧側内面５１６との間などよりも短い距離で延在してもよい。例えば、第１の本体冷却チャンバ７０４Ａは、第２および／または第３の本体冷却チャンバ７０４Ｂ、７０４Ｃの容積よりも大きいまたは小さい容積を有してもよい。任意選択で、第１、第２、および第３の本体冷却チャンバ７０４Ａ、７０４Ｂ、７０４Ｃはそれぞれ、他の本体冷却チャンバ７０４と比べて独特の形状、サイズ、および容積を有してもよい。
【００４７】
１つまたは複数の実施形態では、第１の本体冷却チャンバ７０４Ａ、第２の本体冷却チャンバ７０４Ｂ、および／または第３の本体冷却チャンバ７０４Ｃのうちの１つは、他の第１、第２、または第３の本体冷却チャンバ７０４Ａ、７０４Ｂ、７０４Ｃのうちの１つまたは複数と流体結合されてもよい。任意選択で、第１、第２、または第３の本体冷却チャンバ７０４Ａ、７０４Ｂ、７０４Ｃのうちの１つまたは複数は、レール冷却チャンバ７０６と流体結合されてもよい。任意選択で、第１、第２、または第３の本体冷却チャンバ７０４Ａ、７０４Ｂ、７０４Ｃのうちの１つまたは複数は、冷却剤ソースチャンバ７０２と流体結合されてもよい。任意選択で、任意の数の本体冷却チャンバ７０４を、任意の数の他の本体冷却チャンバ７０４、冷却剤ソースチャンバ７０２、および／またはレール冷却チャンバ７０６と流体結合してもよい。任意選択で、冷却アセンブリ７０３は、冷却剤ソースチャンバ７０２、他の本体冷却チャンバ７０４、レール冷却チャンバ７０６、またはそれらの任意の組合せのうちの１つまたは複数と流体結合された４つ以上の本体冷却チャンバ７０４を含んでもよい。
【００４８】
１つまたは複数の実施形態では、冷却アセンブリ７０３は、冷却剤の少なくとも一部を翼形部１０２（図示せず）の外に導く１つまたは複数の排出チャネルを含むことができる。例えば、１つまたは複数の排出チャネルは、レール冷却チャンバ７０６、第１の本体冷却チャンバ７０４Ａ、第２の本体冷却チャンバ７０４Ｂ、第３の本体冷却チャンバ７０４Ｃ、または冷却剤ソースチャンバ７０２のうちの１つまたは複数と流体結合して、冷却剤を翼形部１０２の外に導くことができる。
【００４９】
図８は、一実施形態による、図２の翼形部１０２の断面Ｃ−Ｃの冷却アセンブリ８０３の部分断面正面図を示す。冷却アセンブリ８０３は、翼形部１０２のチップ本体１４４の内側に配置された冷却剤ソースチャンバ８０２を含み、冷却剤ソースチャンバ８０２は、１つまたは複数のソース冷却剤チャネル８１２を介して第１の本体冷却チャンバ８０４Ａと流体結合される。第１の本体冷却チャンバ８０４Ａは、１つまたは複数の第１の本体冷却剤チャネル８１４Ａを介して第２の本体冷却チャンバ８０４Ｂと流体結合され、第２の本体冷却チャンバ８０４Ｂは、１つまたは複数の第２の本体冷却剤チャネル８１４Ｂを介して第３の本体冷却チャンバ８０４Ｃと流体結合される。例えば、冷却剤６３０は、冷却剤ソースチャンバ８０２から第１の本体冷却チャンバ８０４Ａ、次いで第２の本体冷却チャンバ８０４Ｂ、次いで第３の本体冷却チャンバ８０４Ｃに導かれる。
【００５０】
冷却アセンブリ８０３はまた、１つまたは複数の第１のレール冷却剤チャネル８１６Ａを介して第３の本体冷却チャンバ８０４Ｃと流体結合される翼形部１０２のチップレール１４２の内側に配置された第１のレール冷却チャンバ８０６Ａを含む。冷却アセンブリ８０３はまた、１つまたは複数の第２のレール冷却剤チャネル８１８を介して第１のレール冷却チャンバ８０６Ａと流体結合される翼形部１０２のチップレール１４２の内側に配置された第２のレール冷却チャンバ８０６Ｂを含む。例えば、冷却剤６３０は、第３の本体冷却チャンバ８０４Ｃから第１のレール冷却チャンバ８０６Ａ、次いで第２のレール冷却チャンバ８０６Ｂに導かれる。
【００５１】
図示する実施形態では、第１および第２のレール冷却チャンバ８０６Ａ、８０６Ｂはそれぞれ、正圧側チップレール１４２Ａおよび負圧側チップレール１４２Ｂ内に完全に収容される。さらに、第１および第２のレール冷却チャンバ８０６Ａ、８０６Ｂは、実質的に均一な形状、サイズ、および容積を有し、レール内面４１６付近とレール外面４１８との間でチップレール１４２の内側に実質的に等しい距離で延在する。任意選択で、第１または第２のレール冷却チャンバ８０６Ａ、８０６Ｂの１つまたは複数は、負圧側チップレール１４２Ｂ内ではなく正圧側チップレール１４２Ａ内に収容されてもよい。任意選択で、第１または第２のレール冷却チャンバ８０６Ａ、８０６Ｂの１つまたは複数は、他のレール冷却チャンバに対して、レール冷却チャンバ３０６に関して上述したものなど、独特の形状、サイズ、および／または容積を有してもよい。任意選択で、冷却アセンブリ８０３は、レール冷却チャンバ３０６に関して上述したものなど、任意の固有および／または共通の形状、サイズ、構成を有する３つ以上のレール冷却チャンバ８０６を含んでもよい。
【００５２】
１つまたは複数の実施形態では、第１、第２、または第３の本体冷却チャンバ８０４Ａ、８０４Ｂ、８０４Ｃのうちの１つまたは複数は、第１または第２のレール冷却チャンバ８０６Ａ、８０６Ｂのうちの１つまたは複数と流体結合され得る。例えば、第２および第３の本体冷却チャンバ８０４Ｂ、８０４Ｃは両方とも、第１のレール冷却チャンバ８０６Ａと直接流体結合され得る。１つまたは複数のレール冷却剤チャネル８１６Ｂは、第２の本体冷却チャンバ８０４Ｂと第１のレール冷却チャンバ８０６Ａとの間に延在することができ、１つまたは複数の他のレール冷却剤チャネル８１６Ａは、第３の本体冷却チャンバ８０４Ｃと第１のレール冷却チャンバ８０６Ａとの間に延在することができる。任意選択で、冷却剤ソースチャンバ８０２、本体冷却チャンバ８０４、またはレール冷却チャンバ８０６のうちの任意の１つまたは複数は、任意の他の冷却剤ソースチャンバ８０２、本体冷却チャンバ８０４、またはその中の任意の構成のレール冷却チャンバ８０６と流体結合されてもよい。
【００５３】
１つまたは複数の実施形態では、冷却アセンブリ８０３は、冷却剤の少なくとも一部を翼形部１０２（図示せず）の外に導く１つまたは複数の排出チャネルを含むことができる。例えば、１つまたは複数の排出チャネルは、第１のレール冷却チャンバ８０６Ａ、第２のレール冷却チャンバ８０６Ｂ、第１の本体冷却チャンバ８０４Ａ、第２の本体冷却チャンバ８０４Ｂ、第３の本体冷却チャンバ８０４Ｃ、または冷却剤ソースチャンバ８０２のうちの１つまたは複数と流体結合されて、冷却剤を翼形部１０２の外に導くことができる。排出チャネルは、排出孔およびチャネル１１２ａ、１１２ｂ、１１２ｃ、１１２ｄ、１１２ｅ、１１２ｆに関して上述したものなど、向き、形状、直径などの任意の変化を有してもよい。
【００５４】
図９は、一実施形態による、図２の翼形部１０２の断面Ｃ−Ｃの冷却アセンブリ９０３の部分断面正面図を示す。冷却アセンブリ９０３は、翼形部１０２のチップ本体１４４の内側に配置された冷却剤ソースチャンバ９０２を含む。冷却剤ソースチャンバ９０２は、１つまたは複数のソース冷却剤チャネル９１２を介して、第１の本体冷却チャンバ９０４Ａ、正圧側冷却チャンバ９０５Ａ、および負圧側冷却チャンバ９０５Ｂと流体結合される。例えば、冷却剤ソースチャンバ９０２は、冷却剤６３０の一部をソース冷却剤チャネル９１２Ｂを介して第１の本体冷却チャンバ９０４Ａに導き、冷却剤６３０の一部をソース冷却剤チャネル９１２Ａを介して正圧側および負圧側冷却チャンバ９０５Ａ、９０５Ｂに導く。
【００５５】
第１の本体冷却チャンバ９０４Ａは、正圧側冷却チャンバ９０５Ａ、負圧側冷却チャンバ９０５Ｂ、および第２の本体冷却チャンバ９０４Ｂと流体結合している。例えば、第１の本体冷却チャンバ９０４Ａは、１つまたは複数の第１の正圧チャネル９１５Ａを介して冷却剤６３０の一部を正圧側冷却チャンバ９０５Ａに導き、１つまたは複数の第１の負圧チャネル９１５Ｂを介して、冷却剤６３０の一部を負圧側冷却チャンバ９０５Ｂに導き、１つまたは複数の本体冷却剤チャネル９１４を通して冷却剤６３０の一部を第２の本体冷却チャンバ９０４Ｂに導く。
【００５６】
第２の本体冷却チャンバ９０４Ｂもまた、正圧側冷却チャンバ９０５Ａおよび負圧側冷却チャンバ９０５Ｂと流体結合している。例えば、第２の本体冷却チャンバ９０４Ｂは、１つまたは複数の第２の正圧チャネル９１７Ａを通して冷却剤６３０の一部を正圧側冷却チャンバ９０５Ａに導き、１つまたは複数の第２の負圧チャネル９１７Ｂを通して冷却剤６３０の一部を負圧側冷却チャンバ９０５Ｂに導く。図示する実施形態では、第１および第２の本体冷却チャンバ９０４Ａ、９０４Ｂはそれぞれ、正圧側冷却チャンバ９０５Ａと流体結合され、負圧側冷却チャンバ９０５Ｂと流体結合される。任意選択で、第１または第２の本体冷却チャンバ９０４Ａ、９０４Ｂの１つまたは複数は、任意の組合せで正圧側または負圧側冷却チャンバ９０５Ａ、９０５Ｂの１つまたは複数と流体結合されてもよい。
【００５７】
正圧側冷却チャンバ９０５Ａおよび負圧側冷却チャンバ９０５Ｂは、レール冷却チャンバ９０６と流体結合されている。例えば、正圧側冷却チャンバ９０５Ａは、冷却剤６３０の一部を１つまたは複数のレール冷却剤チャネル９１６を通して正圧側チップレール１４２Ａの内側に配置されたレール冷却チャンバ９０６に導き、負圧側冷却チャンバ９０５Ｂは、冷却剤６３０の一部を１つまたは複数の他のレール冷却剤チャネル９１６を通して負圧側チップレール１４２Ｂの内側に配置されたレール冷却チャンバ９０６に導く。
【００５８】
第１および第２の本体冷却チャンバ９０４Ａ、９０４Ｂは、正圧側冷却チャンバ９０５Ａと負圧側冷却チャンバ９０５Ｂとの間に延在する。例えば、第１および第２の本体冷却チャンバ９０４Ａ、９０４Ｂは、翼形部の正圧側内面９３４と負圧側内面９３６との間で部分的に延在する。第１の本体冷却チャンバ９０４Ａは、正圧側内面９３４と負圧側内面９３６との間の第１の軸線９２４Ａに沿って延在し、それを包含する。第２の本体冷却チャンバ９０４Ｂは、正圧側内面９３４と負圧側内面９３６との間で、第１の軸線９２４Ａと実質的に平行な第２の軸線９２４Ｂに沿って延在し、それを包含する。任意選択で、第１の軸線９２４Ａおよび第２の軸線９２４Ｂは、互いに斜めなどであってもよい。さらに、第１の軸線９２４Ａは、翼形部１０２の半径方向長さ１２４に実質的に垂直な方向に延在し、第２の軸線９２４Ｂも、翼形部１０２の半径方向長さ１２４に実質的に垂直な方向に延在する。
【００５９】
あるいは、正圧側冷却チャンバ９０５Ａは、第１の表面９４４と反対側の第２の表面９４６との間に延在視、負圧側冷却チャンバ９０５Ｂは、第１の表面９４８と反対側の第２の表面９５０との間に延在する。正圧側冷却チャンバ９０５Ａは、第１の表面９４４と第２の表面９４６との間の正圧軸線９２５Ａに沿って延在し、それを包含する。負圧側冷却チャンバ９０５Ｂは、第１の表面９４８と第２の表面９５０との間の負圧軸線９２５Ｂに沿って延在し、それを包含し、負圧軸線９２５Ｂは正圧軸線９２５Ａと実質的に平行である。正圧軸線９２５Ａおよび負圧軸線９２５Ｂは、翼形部１０２の半径方向長さ１２４と実質的に平行である。さらに、正圧軸線９２５Ａは、第１および第２の軸線９２４Ａ、９２４Ｂに実質的に垂直な方向に延在し、負圧軸線９２５Ｂは、第１および第２の軸線９２４Ａ、９２４Ｂにも実質的に垂直な方向に延在する。
【００６０】
任意選択で、第１の本体冷却チャンバ９０４Ａ、第２の本体冷却チャンバ９０４Ｂ、正圧側冷却チャンバ９０５Ａ、または負圧側冷却チャンバ９０５Ｂのうちの１つまたは複数は、１つまたは複数の代替的な表面の間に延在してもよく、そうして、第１の軸線９２４Ａ、第２の軸線９２４Ｂ、正圧軸線９２５Ａ、または負圧軸線９２５Ｂのうちの１つまたは複数が任意の代替的な方向に延在してもよい。例えば、本体冷却チャンバ９０４Ａ、９０４Ｂ、正圧側冷却チャンバ９０５Ａ、および／または負圧側冷却チャンバ９０５Ｂは、任意の代替的な共通または独自の形状および／またはサイズを有してもよく、異なる軸線またはその中の任意の組合せに沿って延在し、それを包含してもよい。任意選択で、冷却チャンバ９０４Ａ、９０４Ｂ、９０５Ａ、９０５Ｂのうちの１つまたは複数の少なくとも一部は、冷却チャンバ３０４Ａ、３０４Ｂに関して上述したように、半径方向長さ１２４に垂直ではない複数の異なる軸線または表面に沿って延在し、それを包含してもよい。
【００６１】
１つまたは複数の実施形態では、冷却アセンブリ９０３は、冷却剤の少なくとも一部を翼形部１０２（図示せず）の外に導く１つまたは複数の排出チャネルを含むことができる。例えば、１つまたは複数の排出チャネルは、レール冷却チャンバ９０６、第１の本体冷却チャンバ９０４Ａ、第２の本体冷却チャンバ９０４Ｂ、正圧側冷却チャンバ９０５Ａ、負圧側冷却チャンバ９０５Ｂ、または冷却剤ソースチャンバ９０２のうちの１つまたは複数と流体結合されて、冷却剤を翼形部１０２の外に導くことができる。排出チャネルは、排出孔およびチャネル１１２ａ、１１２ｂ、１１２ｃ、１１２ｄ、１１２ｅ、１１２ｆに関して上記で説明されたものなど、向き、形状、直径などの任意の変化を有してもよい。
【００６２】
図１０は、一実施形態による、図２の翼形部１０２の断面Ｃ−Ｃの冷却アセンブリ１００３の部分断面正面図を示す。冷却アセンブリ１００３は、翼形部１０２のチップ本体１４４の内側に配置された冷却剤ソースチャンバ１００２を含む。冷却剤ソースチャンバ１００２は、１つまたは複数のソース冷却剤チャネル１０１２を通して蛇行回路１００４と流体結合される。例えば、冷却剤ソースチャンバ１００２は、冷却剤６３０の一部を、ソース冷却剤チャネル１０１２を通して蛇行回路１００４に導く。
【００６３】
蛇行回路１００４は、半径方向長さ１２４に沿った方向に直列に流体接続され、かつ翼形部１０２のチップ本体１４４の内側に完全に収容される複数の冷却剤通路１０１４を含む。図示する実施形態では、蛇行回路１００４は、実質的に共通の形状およびサイズを有する２つの通路１０１４Ａ、１０１４Ｂを含む。任意選択で、回路１００４は、任意の数の通路１０１４を含むことができ、各通路は、例えば、チャンバ３０４に関して前述したものなど、任意の共通または固有の形状および／またはサイズを有してもよい。通路１０１４は、正圧側１１４と負圧側１１６との間で実質的に長手方向に延在する。
【００６４】
蛇行回路１００４は、翼形部１０２のチップレール１４２の内側に配置されたレール冷却チャンバ１００６と流体結合される。蛇行回路１００４は、蛇行回路１００４の１つまたは複数の冷却剤通路１０１４から１つまたは複数のレール冷却剤チャネル１０１６を通ってレール冷却チャンバ１００６に冷却剤６３０の一部を導く。任意選択で、冷却アセンブリ１００３は、冷却剤の少なくとも一部を翼形部１０２（図示せず）の外に導く１つまたは複数の排出チャネルを含んでもよい。例えば、１つまたは複数の排出チャネルは、レール冷却チャンバ１００６の１つまたは複数、蛇行回路１００４の冷却剤通路１０１４の１つまたは複数、あるいは冷却剤ソースチャンバ１００２と流体結合して、冷却剤を翼形部１０２の外に導くことができる。排出チャネルは、排出孔およびチャネル１１２ａ、１１２ｂ、１１２ｃ、１１２ｄ、１１２ｅ、１１２ｆに関して上記で説明されたものなど、向き、形状、直径などの任意の変化を有してもよい。
【００６５】
図１１は、一実施形態による、図２の翼形部１０２の断面Ｃ−Ｃの冷却アセンブリ１１０３の部分断面正面図を示す。冷却アセンブリ１１０３は、翼形部１０２のチップ本体１４４の内側に配置された冷却剤ソースチャンバ１１０２を含む。冷却剤ソースチャンバ１１０２は、１つまたは複数のソース冷却剤チャネル１１１２を介して蛇行回路１１０４と流体結合される。例えば、冷却剤ソースチャンバ１１０２は、冷却剤ソースチャンバ１１０２からソース冷却剤チャネル１１１２を通って蛇行回路１１０４に冷却剤６３０の一部を導く。さらに、蛇行回路１１０４は、１つまたは複数のレール冷却剤チャネル１１１６を介してレール冷却チャンバ１１０６と流体結合される。例えば、蛇行回路１１０４は、冷却剤６３０の一部を蛇行回路１１０４から、レール冷却剤チャネル１１１６を通ってレール冷却チャンバ１１０６に導く。
【００６６】
蛇行回路１１０４は、半径方向長さ１２４に沿った方向に直列に流体接続され、かつ翼形部１０２のチップ本体１４４の内側に完全に収容される２つの冷却剤通路１１１４Ａ、１１１４Ｂを含む。蛇行回路１１０４は、冷却剤通路１１１４に沿って配置された複数のピン１１１８を含む。ピン１１１８は、ピン１１１８の周りに冷却剤６３０を導くことにより、通路１１１４に沿った冷却剤６３０の流れを妨害する。図示する実施形態では、第１の通路１１１４Ａは、７つの第１のピン１１１８Ａを含む。各第１のピン１１１８Ａは、第１の通路１１１４Ａの第１の表面１１２０と反対側の第２の表面１１２２との間に延在する。さらに、第２の通路１１１４Ｂは、７つの第２のピン１１１８Ｂを含む。各第２のピン１１１８Ｂは、第２の通路１１１４Ｂの第１の表面１１２４と反対側の第２の表面１１２６との間に延在する。任意選択で、第１および／または第２の通路１１１４Ａ、１１１４Ｂは、任意の共通または代替的な固有の表面の間で完全にまたは部分的に延在することができる任意の数のピン１１１８を含んでもよい。ピン１１１８は、ピン１１１８を含まない蛇行回路１１０４と比較して、通路１１１４の内側の熱伝達量を増加させることができる。それに加えてまたはその代わりに、第１および／または第２の通路１１１４Ａ、１１１４Ｂ、および／またはレール冷却チャンバ１１０６は、任意の数のピン、タービュレータ、壁などを有してもよく、これらは、ピン、タービュレータ、壁などを含まない冷却アセンブリ１１０３に比べて、通路１１１４の内側またはレール冷却チャンバ１１０６の内側の熱伝達量を増加させることができる。
【００６７】
図１２は、一実施形態による、図２の翼形部１０２の断面Ｃ−Ｃの冷却アセンブリ１２０３の部分断面正面図を示す。図１３は、図２の翼形部１０２の断面Ｂ−Ｂの冷却アセンブリ１２０３の断面上面図を示す。図１２および図１３は、ここで併せて説明される。
【００６８】
冷却アセンブリ１２０３は、翼形部１０２のチップ本体１４４の内側に配置された冷却剤ソースチャンバ１２０２を含む。冷却剤ソースチャンバ１２０２は、１つまたは複数のソース冷却剤チャネル１２１２を介して蛇行回路１２０４と流体結合される。例えば、冷却剤ソースチャンバ１２０２は、冷却剤ソースチャンバ１２０２からソース冷却剤チャネル１２１２を通って蛇行回路１２０４内に冷却剤６３０の一部を導く。さらに、蛇行回路１２０４は、１つまたは複数のレール冷却剤チャネル１２１６を介してレール冷却チャンバ１２０６と流体結合される。例えば、蛇行回路１２０４は、冷却剤６３０の一部を蛇行回路１２０４からレール冷却剤チャネル１２１６を通ってレール冷却チャンバ１２０６に導く。
【００６９】
蛇行回路１２０４は、２つの冷却剤通路１２１４Ａ、１２１４Ｂを含み、これらは互いに直列に流体接続され、翼形部１０２のチップ本体１４４の内側に完全に収容される。蛇行回路１２０４は、冷却剤通路１２１４に沿って配置された複数の壁１２１８を含む。壁１２１８は、前縁１１８から後縁１２０まで壁１２１８の周りで冷却剤６３０を前後に（例えば、ページ内およびページ外に）導くことによって、通路１２１４に沿って冷却剤６３０の流れをガイドする。図１２の例示の実施形態では、第１の通路１２１４Ａは２つの壁１２１８Ａを含み、各壁１２１８Ａは、第１の通路１２１４Ａの第１の表面１２２０と反対側の第２の表面１２２２との間に少なくとも部分的に延在する。第１の通路１２１４Ａの内側に配置された壁１２１８Ａは、冷却剤６３０が、蛇行回路１２０４に沿った第１の通路１２１４Ａに沿って前後方向に（例えば、図１２の画像の外に、そして中に）動くように、冷却剤６３０を各壁１２１８Ａの周りの方向にガイドする。
【００７０】
さらに、図１２および図１３に示すように、第２の通路１２１４Ｂは複数の壁１２１８Ｂを含み、各壁１２１８Ｂは、第２の通路１２１４Ｂの第１の表面１２２４と反対側の第２の表面１２２６との間に少なくとも部分的に延在する。第２の通路１２１４Ｂの内側に配置された壁１２１８Ｂは、冷却剤６３０が、蛇行回路１２０４に沿った第２の通路１２１４Ｂに沿って前後方向に（例えば、図１２の画像の外に、そして中に）動くように、冷却剤６３０を各壁１２１８Ｂの周りの方向にガイドする。例えば、図１３に示すように、壁１２１８は、翼形部１０２の温度を管理するために、冷却剤６３０を翼形部の内側の１つまたは複数の場所または位置にガイドすることができる。任意選択で、第１および／または第２の通路１２１４Ａ、１２１４Ｂは、冷却剤６３０を前後方向、または蛇行回路１２０４に沿った任意の代替パターンまたはランダムな方向に導くことができる任意の数の壁１２１８を含むことができる。
【００７１】
図３〜図１３は、翼形部１０２の内側の冷却アセンブリの７つの実施形態を示している。それに加えてまたはその代わりに、図３〜図１３に示す冷却アセンブリの１つまたは複数の特徴部または構成要素は、任意の組合せ、構成などで組み合わされてもよい。任意選択で、冷却アセンブリは、任意の構成で互いに流体結合された任意の数の冷却剤ソースチャンバ、本体冷却チャンバ、またはレール冷却チャンバを有してもよい。任意選択で、冷却剤ソースチャンバ、本体冷却チャンバ、またはレール冷却チャンバは、任意の代替的な形状、サイズ、向き、構成などを有してもよい。
【００７２】
図１４は、一実施形態による、冷却アセンブリ（例えば、冷却アセンブリ１０３、７０３、８０３、９０３、１００３、１１０３、または１２０３）で翼形部１０２を冷却するための方法１３００のフローチャートを示す。ステップ１４０２で、翼形部１０２の冷却剤ソースチャンバ（例えば、冷却剤ソースチャンバ３０２）は、１つまたは複数のチャネル（例えば、ソース冷却剤チャネル３１２）により、２つ以上の本体冷却チャンバ（例えば、図３の第１の本体冷却チャンバ３０４Ａまたは第２の本体冷却チャンバ３０４Ｂ）の少なくとも１つと流体結合される。例えば、ソース冷却剤チャネル３１２は、冷却剤ソースチャンバ３０２と第１の本体冷却チャンバ３０４Ａとの間の通路であってもよい。任意選択で、冷却剤ソースチャンバ３０２は、第１および第２の本体冷却チャンバ３０４Ａ、３０４Ｂの両方、第２の本体冷却チャンバ３０４Ｂのみ、またはその中の任意の組合せと流体結合されてもよい。冷却剤ソースチャンバ３０２は、少なくとも一部の冷却剤を、冷却剤ソースチャンバ３０２の内側からソース冷却剤チャネル３１２を通って、冷却剤ソースチャンバ３０２と流体結合された第１の本体冷却チャンバ３０４Ａおよび／または第２の本体冷却チャンバ３０４Ｂに導く。
【００７３】
さらに、第１の本体冷却チャンバ３０４Ａは、第２の本体冷却チャンバ３０４Ｂと流体結合されている。例えば、第１の本体冷却チャンバ３０４Ａは、１つまたは複数の本体冷却剤チャネル３１４によって第２の本体冷却チャンバ３０４Ｂと流体結合されてもよい。第１の本体冷却チャンバ３０４Ａは、冷却剤６３０の少なくとも一部を、第１の本体冷却チャンバ３０４Ａの内側から１つまたは複数の本体冷却剤チャネル３１４を通って第２の本体冷却チャンバ３０４Ｂに導く。
【００７４】
ステップ１４０４で、第１または第２の本体冷却チャンバ３０４Ａ、３０４Ｂの少なくとも一方が、１つまたは複数のチャネル（例えば、レール冷却剤チャネル３１６）によってレール冷却チャンバ（例えば、レール冷却チャンバ３０６）と流体結合される。例えば、レール冷却剤チャネル３１６は、第２の本体冷却チャンバ３０４Ｂとレール冷却チャンバ３０６との間の通路であってもよい。レール冷却チャンバ３０６は、翼形部１０２のチップレール１４２の内側に配置される。例えば、第２の本体冷却チャンバ３０４Ｂは、翼形部１０２の正圧側のチップレール１４２Ａおよび／または負圧側のチップレール１４２Ｂの内側のレール冷却チャンバ３０６に冷却剤を導くことができる。
【００７５】
任意選択で、冷却剤ソースチャンバ３０２、第１の本体冷却チャンバ３０４Ａ、第２の本体冷却チャンバ３０４Ｂ、またはレール冷却チャンバ３０６のうちの１つまたは複数は、１つまたは複数の排出チャネルと流体結合されてもよい。例えば、排出チャネルは、１つまたは複数のチャンバから出て、翼形部１０２の外に冷却剤を導くことができる。排出チャネルは、翼形部１０２の温度、翼形部１０２の１つまたは複数の内面または外面、翼形部１０２の１つまたは複数の構成要素などの温度を変化させるために、冷却剤を翼形部から出て翼形部の１つまたは複数の外面、例えば正圧側、負圧側、前縁、後縁、レール内面、レール外面、チップフロア面、またはその中の任意の組合せなどに導くことができる。
【００７６】
本明細書に記載の主題の一実施形態では、冷却アセンブリは、タービンアセンブリの翼形部の内側に配置された冷却剤ソースチャンバを含む。冷却剤ソースチャンバは、冷却剤をタービンアセンブリの翼形部の内側に導くように構成されている。翼形部は、翼形部の半径方向長さに沿って翼形部のハブ端部と翼形部のチップ端部との間で延在する。翼形部のチップ端部は、チップ本体およびチップレールを含む。冷却アセンブリは、翼形部のチップ本体の内側に配置された第１の本体冷却チャンバおよび第２の本体冷却チャンバを含む。第２の本体冷却チャンバの少なくとも一部は、翼形部の半径方向長さに沿ってチップ端部と第１の本体冷却チャンバとの間に配置される。第１または第２の本体冷却チャンバの少なくとも一方は、冷却剤ソースチャンバと流体結合される。冷却剤ソースチャンバは、冷却剤の少なくとも一部を第１または第２の本体冷却チャンバの１つまたは複数に導くように構成される。冷却アセンブリはまた、翼形部のチップレールの内側に配置されたレール冷却チャンバを含む。レール冷却チャンバは、第１または第２の本体冷却チャンバのうちの少なくとも一方と流体結合される。第１または第２の本体冷却チャンバの少なくとも一方は、冷却剤の少なくとも一部を少なくとも一方の第１または第２の本体冷却チャンバからレール冷却チャンバに導くように構成される。
【００７７】
任意選択で、冷却アセンブリはまた、１つまたは複数のレール冷却チャンバと、あるいは１つまたは複数の第１もしくは第２の本体冷却チャンバと、流体結合された１つまたは複数の排出チャネルを含む。１つまたは複数の排出チャネルは、冷却剤を翼形部の外に導くように構成される。
【００７８】
任意選択で、冷却アセンブリはまた、翼形部の正圧側内面と翼形部の負圧側内面とを含む。第１の本体冷却チャンバおよび第２の本体冷却チャンバは、翼形部の正圧側内面と翼形部の負圧側内面との間で少なくとも部分的に延在するように構成される。
【００７９】
任意選択で、第１の本体冷却チャンバは、第１の軸線の少なくとも一部に沿って延在してそれを包含し、第２の本体冷却チャンバは、異なる第２の軸線の少なくとも一部に沿って延在してそれを包含する。第１の軸線の少なくとも一部および第２の軸線の少なくとも一部は、互いに実質的に平行であるかまたは斜めであるかの少なくとも一方である。
【００８０】
任意選択で、第１の本体冷却チャンバは、第１の軸線の少なくとも一部に沿って延在してそれを包含し、第２の本体冷却チャンバは、異なる第２の軸線の少なくとも一部に沿って延在してそれを包含する。第１の軸線は、翼形部の半径方向長さに実質的に垂直な方向に延在するように構成され、第２の軸線は、翼形部の半径方向長さに実質的に垂直な方向に延在するように構成される。
【００８１】
任意選択で、冷却アセンブリはまた、第１または第２の本体冷却チャンバの少なくとも一方の内側に配置された複数のピンまたは複数のタービュレータのうちの１つまたは複数を含む。複数のピンまたは複数のタービュレータの１つまたは複数は、第１または第２の本体冷却チャンバの少なくとも一方の内側の複数のピンまたは複数のタービュレータの周りに冷却剤を導くように構成される。
【００８２】
任意選択で、冷却アセンブリはまた、第１または第２の本体冷却チャンバの少なくとも一方の内側に配置された複数の壁を含む。複数の壁は、第１または第２の本体冷却チャンバの少なくとも一方の内側の複数の壁の周りに冷却剤を導くように構成される。
【００８３】
任意選択で、冷却アセンブリはまた、翼形部のチップレールの内側に配置された２つ以上のレール冷却チャンバを含む。２つ以上のレール冷却チャンバのうちの少なくとも１つのレール冷却チャンバは、少なくとも１つの他のレール冷却チャンバと流体結合される。
【００８４】
任意選択で、冷却アセンブリはまた、翼形部のチップ本体の内側に配置された３つ以上の本体冷却チャンバを含む。３つ以上の本体冷却チャンバのうちの少なくとも１つは、少なくとも１つの他の本体冷却チャンバと流体結合される。
【００８５】
任意選択で、冷却アセンブリはまた、翼形部のチップ本体の内側に配置された１つまたは複数のインピンジメントバッフルまたは蛇行回路を含む。第１の本体冷却チャンバは、インピンジメントバッフルまたは蛇行回路の１つまたは複数によって第２の本体冷却チャンバと流体結合される。
【００８６】
本明細書に記載の主題の一実施形態では、冷却アセンブリは、タービンアセンブリの翼形部の内側に配置された冷却剤ソースチャンバを含む。冷却剤ソースチャンバは、冷却剤をタービンアセンブリの翼形部の内側に導くように構成されている。翼形部は、翼形部の半径方向長さに沿って翼形部のハブ端部と翼形部のチップ端部との間で延在する。翼形部のチップ端部は、チップ本体およびチップレールを含む。冷却アセンブリは、翼形部のチップ本体の内側に配置された第１の本体冷却チャンバおよび第２の本体冷却チャンバを含む。第２の本体冷却チャンバの少なくとも一部は、翼形部の半径方向長さに沿ってチップ端部と第１の本体冷却チャンバとの間に配置される。第１または第２の本体冷却チャンバの少なくとも一方は、冷却剤ソースチャンバと流体結合される。冷却剤ソースチャンバは、冷却剤の少なくとも一部を第１または第２の本体冷却チャンバの１つまたは複数に導くように構成される。冷却アセンブリはまた、翼形部のチップレールの内側に配置されたレール冷却チャンバを含む。レール冷却チャンバは、第１または第２の本体冷却チャンバのうちの少なくとも一方と流体結合される。第１または第２の本体冷却チャンバの少なくとも一方は、冷却剤の少なくとも一部を少なくとも一方の第１または第２の本体冷却チャンバからレール冷却チャンバに導くように構成される。１つまたは複数の排出チャネルは、レール冷却チャンバのうちの１つもしくは複数または第１もしくは第２の本体冷却チャンバのうちの１つもしくは複数と流体結合される。１つまたは複数の排出チャネルは、冷却剤の少なくとも一部を翼形部の外に導くように構成される。
【００８７】
任意選択で、冷却アセンブリはまた、翼形部の正圧側内面と翼形部の負圧側内面とを含む。第１の本体冷却チャンバおよび第２の本体冷却チャンバは、翼形部の正圧側内面と翼形部の負圧側内面との間で少なくとも部分的に延在するように構成される。
【００８８】
任意選択で、第１の本体冷却チャンバは、第１の軸線の少なくとも一部に沿って延在してそれを包含し、第２の本体冷却チャンバは、異なる第２の軸線の少なくとも一部に沿って延在してそれを包含する。第１の軸線の少なくとも一部および第２の軸線の少なくとも一部は、互いに実質的に平行であるかまたは斜めであるかの少なくとも一方である。
【００８９】
任意選択で、第１の本体冷却チャンバは、第１の軸線の少なくとも一部に沿って延在してそれを包含し、第２の本体冷却チャンバは、異なる第２の軸線の少なくとも一部に沿って延在してそれを包含する。第１の軸線は、翼形部の半径方向長さに実質的に垂直な方向に延在するように構成され、第２の軸線は、翼形部の半径方向長さに実質的に垂直な方向に延在するように構成される。
【００９０】
任意選択で、冷却アセンブリはまた、第１または第２の本体冷却チャンバの少なくとも一方の内側に配置された複数のピンまたは複数のタービュレータのうちの１つまたは複数を含む。複数のピンまたは複数のタービュレータの１つまたは複数は、第１または第２の本体冷却チャンバの少なくとも一方の内側の複数のピンまたは複数のタービュレータの周りに冷却剤を導くように構成される。
【００９１】
任意選択で、冷却アセンブリはまた、第１または第２の本体冷却チャンバの少なくとも一方の内側に配置された複数の壁を含む。複数の壁は、第１または第２の本体冷却チャンバの少なくとも一方の内側の複数の壁の周りに冷却剤を導くように構成される。
【００９２】
任意選択で、冷却アセンブリはまた、翼形部のチップレールの内側に配置された２つ以上のレール冷却チャンバを含む。２つ以上のレール冷却チャンバのうちの少なくとも１つのレール冷却チャンバは、少なくとも１つの他のレール冷却チャンバと流体結合される。
【００９３】
任意選択で、冷却アセンブリはまた、翼形部のチップ本体の内側に配置された３つ以上の本体冷却チャンバを含む。３つ以上の本体冷却チャンバのうちの少なくとも１つは、少なくとも１つの他の本体冷却チャンバと流体結合される。
【００９４】
任意選択で、冷却アセンブリはまた、翼形部のチップ本体の内側に配置された１つまたは複数のインピンジメントバッフルまたは蛇行回路を含む。第１の本体冷却チャンバは、インピンジメントバッフルまたは蛇行回路の１つまたは複数によって第２の本体冷却チャンバと流体結合される。
【００９５】
本明細書で説明する主題の一実施形態では、方法は、第１の本体冷却チャンバまたは第２の本体冷却チャンバの少なくとも一方を翼形部の内側に配置された冷却剤ソースチャンバと流体結合するステップを含む。第１の本体冷却チャンバおよび第２の本体冷却チャンバは、翼形部のチップ本体の内側に配置される。翼形部は、翼形部の半径方向長さに沿って翼形部のハブ端部と翼形部のチップ端部との間で延在する。翼形部のチップ端部は、チップ本体およびチップレールを含む。冷却剤ソースチャンバは、冷却剤を冷却剤ソースチャンバから出て、第１または第２の本体冷却チャンバの少なくとも一方に導くように構成される。第２の本体冷却チャンバの少なくとも一部は、翼形部の半径方向長さに沿ってチップ端部と第１の本体冷却チャンバとの間に配置される。本方法はまた、翼形部のチップレールの内側に配置されたレール冷却チャンバを、第１または第２の本体冷却チャンバの少なくとも一方と流体結合するステップを含む。第１または第２の本体冷却チャンバの少なくとも一方は、冷却剤の少なくとも一部を第１または第２の本体冷却チャンバからレール冷却チャンバに導くように構成される。
【００９６】
本明細書で使用する場合、単数形で記載され、単語「ａ」または「ａｎ」の後に続く要素またはステップは、複数の前記要素またはステップを除外しないものとして理解されるべきであるが、そのような除外が明示的に述べられている場合は除く。さらに、本発明で説明された主題の「一実施形態」への言及は、列挙された特徴をも組み込む追加の実施形態の存在を排除するものとして解釈されることを意図していない。さらに、明示的な反対の記載がない限り、特定の特性を有する要素または複数の要素を「含む（ｃｏｍｐｒｉｓｉｎｇ）」または「有する（ｈａｖｉｎｇ）」実施形態は、その特性を有さない追加のそのような要素を含んでもよい。
【００９７】
上記の説明が制限ではなく例示を意図していることを理解されたい。例えば、上記の実施形態（および／またはその態様）は、互いに組み合わせて使用することができる。さらに、本発明の範囲を逸脱することなく、特定の状況または材料を本明細書に記載の主題の教示に適応させるために、多くの修正を加えてもよい。本明細書に記載の材料の寸法およびタイプは、開示された主題の要因を定義することを意図しているが、決して限定的ではなく例示的な実施形態である。他の多くの実施形態は、上記の説明を検討することにより当業者にとって明らかになるであろう。したがって、本明細書に記載の主題の範囲は、添付の特許請求の範囲を参照して、そのような特許請求の範囲が権利を与えられる等価物の全範囲と共に決定されるべきである。添付の特許請求の範囲において、「含む（ｉｎｃｌｕｄｉｎｇ）」および「ここで（ｉｎ  ｗｈｉｃｈ）」という用語を「含む（ｃｏｍｐｒｉｓｉｎｇ）」および「ここで（ｗｈｅｒｅｉｎ）」という用語のそれぞれの平易な英語の同義語として用いている。さらに、以下の請求項において、「第１」、「第２」および「第３」などの用語は単にラベルとして使用され、それらの対象物に数値的な要件を課すことを意図しない。さらに、以下の請求項の限定事項は、そのような請求項の限定事項が「のための手段（ｍｅａｎｓ  ｆｏｒ）」という語句をさらなる構造への言及を欠く機能の記述と一緒に明示的に使用していない限り、ミーンズプラスファンクション（ｍｅａｎｓ−ｐｌｕｓ−ｆｕｎｃｔｉｏｎ）形式での記載ではなく、米国特許法第１１２条（ｆ）に基づく解釈を意図していない。
【００９８】
本明細書は、本明細書に記載の主題のいくつかの実施形態を開示するために実施例を用いており、また、装置またはシステムを製作および使用し、方法を実行することを含む、開示された主題の実施形態の実施を当業者に可能にするように、最良の形態を用いている。本明細書に記載の主題の特許され得る範囲は、特許請求の範囲によって定義され、当業者が想到する他の実施例を含むことができる。このような他の実施例は、特許請求の範囲の文言との差がない構造要素を有する場合、または特許請求の範囲の文言との実質的な差がない等価の構造要素を含む場合、特許請求の範囲内にあることを意図する。
【符号の説明】
【００９９】
１０  タービンアセンブリ
１６  入口
１８  圧縮機
２０  燃焼器
２２  タービン
２４  排気部
２６  回転シャフト
３０  ブレード
３６  ガイドベーン
５０  方向
１０２  翼形部
１０３  冷却アセンブリ
１１２  排出孔
１１２ａ  上部レール排出孔、チャネル
１１２ｂ  内側レール排出孔、チャネル
１１２ｃ  外側レール排出孔、チャネル
１１２ｄ  本体排出孔、チャネル
１１２ｅ  ソース排出孔、チャネル
１１２ｆ  チップフロア排出孔、チャネル
１１４  正圧側
１１６  負圧側
１１８  前縁
１２０  後縁
１２４  半径方向長さ
１２６  軸方向長さ
１２８  チップ端部
１３０  ハブ端部
１３２  チップフロア面
１４２  チップレール
１４２Ａ  正圧側チップレール
１４２Ｂ  負圧側チップレール
１４４  チップ本体
３０２  冷却剤ソースチャンバ
３０４  本体冷却チャンバ
３０４Ａ  第１の本体冷却チャンバ
３０４Ｂ  第２の本体冷却チャンバ
３０６  レール冷却チャンバ
３１２  ソース冷却剤チャネル
３１４  本体冷却剤チャネル
３１４Ａ  冷却剤チャネル
３１４Ｂ  冷却剤チャネル
３１６  レール冷却剤チャネル
４１６  レール内面
４１８  レール外面
４２０  仕切り
５１４  正圧側内面
５１６  負圧側内面
６０２  第１の表面
６０４  第１の表面
６０６  第２の表面
６０８  第１の表面
６１０  第２の表面
６１２  第１の表面
６１４  上面
６２４Ａ  第１の軸線
６２４Ｂ  第２の軸線
６３０  冷却剤
６６２  ソース排出チャネル
６６４  本体排出チャネル
６６６  レール排出チャネル
７０２  冷却剤ソースチャンバ
７０３  冷却アセンブリ
７０４  本体冷却チャンバ
７０４Ａ  第１の本体冷却チャンバ
７０４Ｂ  第２の本体冷却チャンバ
７０４Ｃ  第３の本体冷却チャンバ
７０６  レール冷却チャンバ
７１２  ソース冷却剤チャネル
７１４Ａ  第１の本体冷却剤チャネル
７１４Ｂ  第２の本体冷却剤チャネル
７１６  レール冷却剤チャネル
７２４Ａ  第１の軸線
７２４Ｂ  第２の軸線
７２４Ｃ  第３の軸線
８０２  冷却剤ソースチャンバ
８０３  冷却アセンブリ
８０４  本体冷却チャンバ
８０６  レール冷却チャンバ
８０６Ａ  第１のレール冷却チャンバ
８０６Ｂ  第２のレール冷却チャンバ
８１２  ソース冷却剤チャネル
８１４Ａ  第１の本体冷却剤チャネル
８１４Ｂ  第２の本体冷却剤チャネル
８１６Ａ  第１のレール冷却剤チャネル
８１６Ｂ  レール冷却剤チャネル
８１８  第２のレール冷却剤チャネル
９０２  冷却剤ソースチャンバ
９０３  冷却アセンブリ
９０４Ａ  第１の本体冷却チャンバ
９０４Ｂ  第２の本体冷却チャンバ
９０５Ａ  正圧側冷却チャンバ
９０５Ｂ  負圧側冷却チャンバ
９０６  レール冷却チャンバ
９１２  ソース冷却剤チャネル
９１２Ａ  ソース冷却剤チャネル
９１２Ｂ  ソース冷却剤チャネル
９１４  本体冷却剤チャネル
９１５Ａ  第１の正圧チャネル
９１５Ｂ  第１の負圧チャネル
９１６  レール冷却剤チャネル
９１７Ａ  第２の正圧チャネル
９１７Ｂ  第２の負圧チャネル
９２４Ａ  第１の軸線
９２４Ｂ  第２の軸線
９２５Ａ  正圧軸線
９２５Ｂ  負圧軸線
９３４  正圧側内面
９３６  負圧側内面
９４４  第１の表面
９４６  第２の表面
９４８  第１の表面
９５０  第２の表面
１００２  冷却剤ソースチャンバ
１００３  冷却アセンブリ
１００４  蛇行回路
１００６  レール冷却チャンバ
１０１２  ソース冷却剤チャネル
１０１４  冷却剤通路
１０１４Ａ  通路
１０１４Ｂ  通路
１０１６  レール冷却剤チャネル
１１０２  冷却剤ソースチャンバ
１１０３  冷却アセンブリ
１１０４  蛇行回路
１１０６  レール冷却チャンバ
１１１２  ソース冷却剤チャネル
１１１４  冷却剤通路
１１１４Ａ  第１の通路、冷却剤通路
１１１４Ｂ  第２の通路、冷却剤通路
１１１６  レール冷却剤チャネル
１１１８  ピン
１１１８Ａ  第１のピン
１１１８Ｂ  第２のピン
１１２０  第１の表面
１１２２  第２の表面
１１２４  第１の表面
１１２６  第２の表面
１２０２  冷却剤ソースチャンバ
１２０３  冷却アセンブリ
１２０４  蛇行回路
１２０６  レール冷却チャンバ
１２１２  ソース冷却剤チャネル
１２１４  冷却剤通路
１２１６  レール冷却剤チャネル
１２１８  壁
１２１８Ａ  壁
１２１８Ｂ  壁
１２２０  第１の表面
１２２２  第２の表面
１２２４  第１の表面
１２２６  第２の表面
１３００  方法
１４０２  ステップ
１４０４  ステップ
【図１】
2021520463.tif 000003
【図２】
2021520463.tif 000004
【図３】
2021520463.tif 000005
【図４】
2021520463.tif 000006
【図５】
2021520463.tif 000007
【図６】
2021520463.tif 000008
【図７】
2021520463.tif 000009
【図８】
2021520463.tif 000010
【図９】
2021520463.tif 000011
【図１０】
2021520463.tif 000012
【図１１】
2021520463.tif 000013
【図１２】
2021520463.tif 000014
【図１３】
2021520463.tif 000015
【図１４】
2021520463.tif 000016
【手続補正書】
【提出日】令和3年2月8日(2021.2.8)
【手続補正１】
【補正対象書類名】特許請求の範囲
【補正対象項目名】全文
【補正方法】変更
【補正の内容】
【特許請求の範囲】
【請求項１】
タービンアセンブリ（１０）の翼形部（１０２）の内側に配置された冷却剤ソースチャンバ（３０２、７０２、８０２、９０２、１００２、１１０２、１２０２）であって、前記タービンアセンブリ（１０）の前記翼形部（１０２）の内側に冷却剤（６３０）を導くように構成され、前記翼形部（１０２）は、前記翼形部（１０２）の半径方向長さ（１２４）に沿って前記翼形部（１０２）のハブ端部（１３０）と前記翼形部（１０２）のチップ端部（１２８）との間に延在するように構成され、前記翼形部（１０２）の前記チップ端部（１２８）は、チップ本体（１４４）およびチップレール（１４２）を含む、冷却剤ソースチャンバ（３０２、７０２、８０２、９０２、１００２、１１０２、１２０２）と、
前記翼形部（１０２）の前記チップ本体（１４４）の内側に配置された第１の本体冷却チャンバ（３０４Ａ、７０４Ａ、９０４Ａ）および第２の本体冷却チャンバ（３０４Ｂ、７０４Ｂ、９０４Ｂ）であって、前記第２の本体冷却チャンバ（３０４Ｂ、７０４Ｂ、９０４Ｂ）の少なくとも一部は、前記翼形部（１０２）の前記半径方向長さ（１２４）に沿って前記チップ端部（１２８）と前記第１の本体冷却チャンバ（３０４Ａ、７０４Ａ、９０４Ａ）との間に配置され、前記第１または第２の本体冷却チャンバ（３０４Ａ、７０４Ａ、９０４Ａ、３０４Ｂ、７０４Ｂ、９０４Ｂ）の少なくとも一方は、前記冷却剤ソースチャンバ（３０２、７０２、８０２、９０２、１００２、１１０２、１２０２）と流体結合され、前記冷却剤ソースチャンバ（３０２、７０２、８０２、９０２、１００２、１１０２、１２０２）は、前記冷却剤（６３０）の少なくとも一部を前記第１または第２の本体冷却チャンバ（３０４Ａ、７０４Ａ、９０４Ａ、３０４Ｂ、７０４Ｂ、９０４Ｂ）の１つまたは複数に導くように構成される、第１の本体冷却チャンバ（３０４Ａ、７０４Ａ、９０４Ａ）および第２の本体冷却チャンバ（３０４Ｂ、７０４Ｂ、９０４Ｂ）と、
前記翼形部（１０２）の前記チップレール（１４２）の内側に配置されたレール冷却チャンバ（３０６、７０６、８０６、９０６、１００６、１１０６、１２０６）であって、前記第１または第２の本体冷却チャンバ（３０４Ａ、７０４Ａ、９０４Ａ、３０４Ｂ、７０４Ｂ、９０４Ｂ）の少なくとも１つと流体結合され、前記第１または第２の本体冷却チャンバ（３０４Ａ、７０４Ａ、９０４Ａ、３０４Ｂ、７０４Ｂ、９０４Ｂ）の前記少なくとも一方は、前記冷却剤（６３０）の少なくとも一部を前記少なくとも一方の前記第１または第２の本体冷却チャンバ（３０４Ａ、７０４Ａ、９０４Ａ、３０４Ｂ、７０４Ｂ、９０４Ｂ）から前記レール冷却チャンバ（３０６、７０６、８０６、９０６、１００６、１１０６、１２０６）に導くように構成される、レール冷却チャンバ（３０６、７０６、８０６、９０６、１００６、１１０６、１２０６）と、
を含む冷却アセンブリ（１０３、７０３、８０３、９０３、１００３、１１０３、１２０３）。
【請求項２】
前記レール冷却チャンバ（３０６、７０６、８０６、９０６、１００６、１１０６、１２０６）の１つもしくは複数または前記第１もしくは第２の本体冷却チャンバ（３０４Ａ、７０４Ａ、９０４Ａ、３０４Ｂ、７０４Ｂ、９０４Ｂ）の１つもしくは複数と流体結合された１つまたは複数の排出チャネルをさらに含み、前記１つまたは複数の排出チャネルは、前記冷却剤（６３０）を前記翼形部（１０２）の外に導くように構成される、請求項１に記載の冷却アセンブリ（１０３、７０３、８０３、９０３、１００３、１１０３、１２０３）。
【請求項３】
前記翼形部（１０２）の正圧側内面（５１４、９３４）および前記翼形部（１０２）の負圧側内面（５１６、９３６）をさらに含み、前記第１の本体冷却チャンバ（３０４Ａ、７０４Ａ、９０４Ａ）および前記第２の本体冷却チャンバ（３０４Ｂ、７０４Ｂ、９０４Ｂ）は、前記翼形部（１０２）の前記正圧側内面（５１４、９３４）と前記翼形部（１０２）の前記負圧側内面（５１６、９３６）との間で少なくとも部分的に延在するように構成される、請求項１または２に記載の冷却アセンブリ（１０３、７０３、８０３、９０３、１００３、１１０３、１２０３）。
【請求項４】
前記第１の本体冷却チャンバ（３０４Ａ、７０４Ａ、９０４Ａ）は、第１の軸線（６２４Ａ、７２４Ａ、９２４Ａ）の少なくとも一部に沿って延在してそれを包含し、前記第２の本体冷却チャンバ（３０４Ｂ、７０４Ｂ、９０４Ｂ）は、異なる第２の軸線（６２４Ｂ、７２４Ｂ、９２４Ｂ）の少なくとも一部に沿って延在してそれを包含し、前記第１の軸線（６２４Ａ、７２４Ａ、９２４Ａ）の少なくとも一部および前記第２の軸線（６２４Ｂ、７２４Ｂ、９２４Ｂ）の少なくとも一部は、互いに実質的に平行であるかまたは斜めである、請求項１または２に記載の冷却アセンブリ（１０３、７０３、８０３、９０３、１００３、１１０３、１２０３）。
【請求項５】
前記第１の本体冷却チャンバ（３０４Ａ、７０４Ａ、９０４Ａ）は前記第１の軸線（６２４Ａ、７２４Ａ、９２４Ａ）の少なくとも一部に沿って延在し、前記第２の本体冷却チャンバ（３０４Ｂ、７０４Ｂ、９０４Ｂ）は前記第２の軸線（６２４Ｂ、７２４Ｂ、９２４Ｂ）の少なくとも一部に沿って延在し、前記第１の軸線（６２４Ａ、７２４Ａ、９２４Ａ）は、前記翼形部（１０２）の半径方向長さ（１２４）に実質的に垂直な方向に延在するように構成され、前記第２の軸線（６２４Ｂ、７２４Ｂ、９２４Ｂ）は、前記翼形部（１０２）の半径方向長さ（１２４）に実質的に垂直な方向に延在するように構成される、請求項４に記載の冷却アセンブリ（１０３、７０３、８０３、９０３、１００３、１１０３、１２０３）。
【請求項６】
前記第１または第２の本体冷却チャンバ（３０４Ａ、７０４Ａ、９０４Ａ、３０４Ｂ、７０４Ｂ、９０４Ｂ）の少なくとも一方の内側に配置された複数のピン（１１１８）または複数のタービュレータのうちの１つまたは複数をさらに含み、前記複数のピン（１１１８）または複数のタービュレータのうちの前記１つまたは複数は、前記第１または第２の本体冷却チャンバ（３０４Ａ、７０４Ａ、９０４Ａ、３０４Ｂ、７０４Ｂ、９０４Ｂ）の前記少なくとも一方の内側の前記複数のピン（１１１８）または前記複数のタービュレータの周りに前記冷却剤（６３０）を導くように構成される、請求項１または２に記載の冷却アセンブリ（１０３、７０３、８０３、９０３、１００３、１１０３、１２０３）。
【請求項７】
前記第１または第２の本体冷却チャンバ（３０４Ａ、７０４Ａ、９０４Ａ、３０４Ｂ、７０４Ｂ、９０４Ｂ）の少なくとも一方の内側に配置された複数の壁（１２１８）をさらに含み、前記複数の壁（１２１８）は、前記第１または第２の本体冷却チャンバ（３０４Ａ、７０４Ａ、９０４Ａ、３０４Ｂ、７０４Ｂ、９０４Ｂ）の前記少なくとも一方の内側の前記複数の壁（１２１８）の周りに前記冷却剤（６３０）を導くように構成される、請求項１または２に記載の冷却アセンブリ（１０３、７０３、８０３、９０３、１００３、１１０３、１２０３）。
【請求項８】
前記翼形部（１０２）の前記チップレール（１４２）の内側に配置された２つ以上のレール冷却チャンバ（３０６、７０６、８０６、９０６、１００６、１１０６、１２０６）をさらに含み、前記２つ以上のレール冷却チャンバ（３０６、７０６、８０６、９０６、１００６、１１０６、１２０６）のうちの少なくとも１つのレール冷却チャンバ（３０６、７０６、８０６、９０６、１００６、１１０６、１２０６）は、少なくとも１つの他のレール冷却チャンバ（３０６、７０６、８０６、９０６、１００６、１１０６、１２０６）と流体結合される、請求項１または２に記載の冷却アセンブリ（１０３、７０３、８０３、９０３、１００３、１１０３、１２０３）。
【請求項９】
前記翼形部（１０２）の前記チップ本体（１４４）の内側に配置された３つ以上の本体冷却チャンバ（３０４，７０４，８０４）をさらに含み、前記３つ以上の本体冷却チャンバ（３０４，７０４，８０４）のうちの少なくとも１つは、少なくとも１つの他の本体冷却チャンバ（３０４，７０４，８０４）と流体結合される、請求項１または２に記載の冷却アセンブリ（１０３、７０３、８０３、９０３、１００３、１１０３、１２０３）。
【請求項１０】
前記翼形部（１０２）の前記チップ本体（１４４）の内側に配置されたインピンジメントバッフルまたは蛇行回路（１００４，１１０４、１２０４）のうちの１つまたは複数をさらに含み、前記第１の本体冷却チャンバ（３０４Ａ、７０４Ａ、９０４Ａ）は、前記インピンジメントバッフルまたは前記蛇行回路（１００４，１１０４、１２０４）のうちの前記１つまたは複数によって前記第２の本体冷却チャンバ（３０４Ｂ、７０４Ｂ、９０４Ｂ）と流体結合される、請求項１または２に記載の冷却アセンブリ（１０３、７０３、８０３、９０３、１００３、１１０３、１２０３）。
【請求項１１】
第１の本体冷却チャンバ（３０４Ａ、７０４Ａ、９０４Ａ）または第２の本体冷却チャンバ（３０４Ｂ、７０４Ｂ、９０４Ｂ）の少なくとも一方を翼形部（１０２）の内側に配置された冷却剤ソースチャンバ（３０２、７０２、８０２、９０２、１００２、１１０２、１２０２）と流体結合するステップ（１４０２）であって、前記第１の本体冷却チャンバ（３０４Ａ、７０４Ａ、９０４Ａ）および前記第２の本体冷却チャンバ（３０４Ｂ、７０４Ｂ、９０４Ｂ）は、前記翼形部（１０２）のチップ本体（１４４）の内側に配置され、前記翼形部（１０２）は、前記翼形部（１０２）の半径方向長さ（１２４）に沿って前記翼形部（１０２）のハブ端部（１３０）と前記翼形部（１０２）のチップ端部（１２８）との間に延在するように構成され、前記翼形部（１０２）の前記チップ端部（１２８）は、前記チップ本体（１４４）およびチップレール（１４２）を含み、前記冷却剤ソースチャンバ（３０２、７０２、８０２、９０２、１００２、１１０２、１２０２）は、冷却剤（６３０）を前記冷却剤ソースチャンバ（３０２、７０２、８０２、９０２、１００２、１１０２、１２０２）から出て、前記第１または第２の本体冷却チャンバ（３０４Ａ、７０４Ａ、９０４Ａ、３０４Ｂ、７０４Ｂ、９０４Ｂ）の少なくとも一方に導くように構成され、前記第２の本体冷却チャンバ（３０４Ｂ、７０４Ｂ、９０４Ｂ）の少なくとも一部は、前記翼形部（１０２）の前記半径方向長さ（１２４）に沿って前記チップ端部（１２８）と前記第１の本体冷却チャンバ（３０４Ａ、７０４Ａ、９０４Ａ）との間に配置される、ステップ（１４０２）と、
前記翼形部（１０２）の前記チップレール（１４２）の内側に配置されたレール冷却チャンバ（３０６、７０６、８０６、９０６、１００６、１１０６、１２０６）を、前記第１または第２の本体冷却チャンバ（３０４Ａ、７０４Ａ、９０４Ａ、３０４Ｂ、７０４Ｂ、９０４Ｂ）の少なくとも一方と流体結合するステップ（１４０４）であって、前記第１または第２の本体冷却チャンバ（３０４Ａ、７０４Ａ、９０４Ａ、３０４Ｂ、７０４Ｂ、９０４Ｂ）の前記少なくとも一方は、前記冷却剤（６３０）の少なくとも一部を前記第１または第２の本体冷却チャンバ（３０４Ａ、７０４Ａ、９０４Ａ、３０４Ｂ、７０４Ｂ、９０４Ｂ）から前記レール冷却チャンバ（３０６、７０６、８０６、９０６、１００６、１１０６、１２０６）に導くように構成される、ステップ（１４０４）と、
を含む方法（１３００）。
【国際調査報告】
2021520463.tif 000017
2021520463.tif 000018
2021520463.tif 000019